(57)【要約】【課題】  セル再選択を抑制することで、移動端末が新たなセルの報知情報を受信する機会を削減し、移動端末の消費電力を削減する。【解決手段】  本発明に係る移動体通信システムにおいて、移動端末はある一定期間にセル選択を行ったセル選択回数に基づいて移動端末の移動状態を示す移動状態情報を決定し、この移動状態情報と基地局から通知されたセル選択を制御するパラメータに基づいてセル選択を行う。そして、上記移動端末は、選択されたセルがマクロセルである場合、セル選択回数にはカウントを追加し、選択されたセルがＣＳＧ(Closed Subscriber Group)セルである場合、セル選択回数にはカウントを追加しないよう動作する。【選択図】  図１４
2012109640.tif 000002
【特許請求の範囲】
【請求項１】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する前記移動端末と通信可能な領域を形成する第一のセル、この第一のセルよりも狭い範囲内で前記移動端末と通信可能な領域を形成する第二のセルのそれぞれに設けられた基地局とを含む移動体通信システムにおいて、
前記移動端末は、ある一定期間にセル選択を行ったセル選択回数に基づいて前記移動端末の移動状態を示す移動状態情報を決定するとともに、この移動状態情報と前記基地局から通知されたセル選択を制御するパラメータに基づいてセル選択を行うものであって、選択されたセルが前記第一のセルである場合、前記セル選択回数にはカウントが追加され、選択されたセルが前記第二のセルである場合、前記セル選択回数にはカウントが追加されないことを特徴とする移動体通信システム。
【請求項２】
移動状態情報は、移動端末が高速で移動していることを示す高速移動状態、この高速移動状態に比べると遅い速度で移動していることを示す中速移動状態、この中速移動状態に比べると遅い速度で移動していることを示す通常移動状態を示すものであって、前記移動端末によるセル選択は、基地局から通知されたパラメータによって、前記高速移動状態のときは、前記中速移動状態及び前記通常移動状態のときに比べて容易にセル選択を行うように制御されることを特徴とする請求項１に記載の移動体通信システム。
【請求項３】
第二のセルは、特定の端末ないし加入者に利用を許可する通信セルである特定加入者用セルであって、移動端末は、セル選択した選択セルが前記特定加入者用セルであることを、前記選択セルから送信された報知情報に含まれるインジケータに基づいて判断することを特徴とする請求項１に記載の移動体通信システム。
【請求項４】
第二のセルは、特定の端末ないし加入者に利用を許可する通信セルである特定加入者用セルであって、移動端末は、セル選択した選択セルが前記特定加入者用セルであることを、前記移動端末が受信可能な基地局から送信されている同期信号に含まれる各セルを識別するための情報であって、前記特定加入者用セルと前記特定加入者用セル以外のセルを識別する情報を含むセル識別情報に基づいて判断することを特徴とする請求項１に記載の移動体通信システム。
【請求項５】
移動端末は、移動状態情報が高速移動状態であるときに、第一のセルへのセル選択及びハンドオーバを行い、第二のセルへのセル選択及びハンドオーバを行わず、移動状態情報が中速移動状態ないし通常移動状態であるときに第一のセル及び第二のセルへのセル選択及びハンドオーバを行うことを特徴とする請求項２〜４のいずれか一項に記載の移動体通信システム。
【請求項６】
移動端末は、同じセル間でセル選択を行った回数をカウントし、連続選択回数が所定の閾値を超えた場合、または規定時間内に同じセルのセル選択回数が所定の閾値を超えた場合に、セル選択及びハンドオーバを制御することを特徴とする請求項２〜４のいずれか一項に記載の移動体通信システム。
【請求項７】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する前記移動端末と通信可能な領域を形成する第一のセル、この第一のセルよりも狭い範囲内で前記移動端末と通信可能な領域を形成する第二のセルのそれぞれに設けられた基地局とを含む移動体通信システムにおいて、
前記移動端末は、ある一定期間にセル選択を行ったセル選択回数に基づいて前記移動端末の移動状態を示す移動状態情報を決定するとともに、この移動状態情報と前記基地局から通知されたセル選択を制御するパラメータに基づいてセル選択を行うものであって、前記移動状態情報が高速移動状態であるときに、前記第一のセルへのセル選択あるいはハンドオーバを行い、前記第二のセルへのセル選択あるいはハンドオーバを行わず、前記移動状態情報が中速移動状態ないし通常移動状態であるときに前記第一のセル及び前記第二のセルへのセル選択あるいはハンドオーバを行うことを特徴とする移動体通信システム。
【請求項８】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する前記移動端末と通信可能な領域を形成する第一のセル、この第一のセルよりも狭い範囲内で前記移動端末と通信可能な領域を形成する第二のセルのそれぞれに設けられた基地局とを含む移動体通信システムにおいて、
前記移動端末は、ある一定期間にセル選択を行ったセル選択回数に基づいて前記移動端末の移動状態を示す移動状態情報を決定するとともに、この移動状態情報と前記基地局から通知されたセル選択を制御するパラメータに基づいてセル選択を行うものであって、同じセル間でセル選択を行った回数をカウントし、連続選択回数が所定の閾値を超えた場合、または規定時間内に同じセルのセル選択回数が所定の閾値を超えた場合に、セル選択あるいはハンドオーバを制御することを特徴とする移動体通信システム。
【発明の詳細な説明】
【技術分野】
【０００１】
本発明は、基地局が複数の移動端末と無線通信を実施する移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についてもサービスが開始されている。Ｗ−ＣＤＭＡは、移動体通信システムの規格化団体である３ＧＰＰ（3rd Generation Partnership Project）により定められた通信方式であり、リリース８版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワーク（単にネットワークとも称する）を含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW:Access Gatewayと称されることもある)と称される。このＬＴＥの通信システムでは、ユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は移動端末が待ち受け状態及び、アクティブ状態（Active State）の際に、トラッキングエリア（Tracking Area）リストの管理を行う。Ｓ−ＧＷ１０４はひとつまたは複数の基地局１０２とユーザデータの送受信を行う。Ｓ−ＧＷ１０４は基地局間のハンドオーバの際、ローカルな移動性のアンカーポイント（Mobility Anchor Point）となる。更にＰ−ＧＷ（PDN Gateway）が存在し、ユーザ毎のパケットフィルタリングやＵＥ−ＩＤアドレスの割当などを行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。無線フレーム毎に１番目と６番目のサブフレームに下り同期信号（Downlink Synchronization Signal: SS）が含まれる。同期信号には第一同期信号（Primary Synchronization Signal: P-SS）と第二同期信号（Secondary Synchronization Signal: S-SS）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。ＣＳＧ（Closed Subscriber Group cell）セルにおいてもｎｏｎ−ＣＳＧセルと同じチャネル構成が用いられると想定されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。ＰＤＣＣＨはＬ１／Ｌ２制御信号とも呼ばれる。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）やトランスポートチャネルであるＰＣＨがマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。またＰＵＣＣＨは、スケジューリングリクエスト（Scheduling Request: SR）を運ぶ。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
下りリファレンスシグナル（Reference signal）は、移動体通信システムとして既知のシンボルが、毎スロットの最初、３番目、最後のＯＦＤＭシンボルに挿入される。移動端末の物理レイヤの測定として、リファレンスシンボルの受信電力（Reference symbol received power：ＲＳＲＰ）がある。
【００１０】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１１】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１２】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１３】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。下り方法では、ＣＣＣＨはトランスポートチャネルである下り共有チャネル（ＤＬ−ＳＣＨ）へマッピングされる。上り方向では、ＣＣＣＨはトランスポートチャネルである上り共有チャネル(UL-SCH)へマッピングされる。
【００１４】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１５】
ＧＣＩとは、グローバルセル識別子（Global Cell Identity）のことである。ＬＴＥ及びＵＭＴＳ（Universal Mobile Telecommunication System）においてＣＳＧセル（Closed Subscriber Group cell）が導入される。ＣＳＧについて以下説明する（非特許文献４  ３．１章）。ＣＳＧ（Closed Subscriber Group）とは、利用可能な加入者をオペレータが特定しているセルである（特定加入者用セル）。特定された加入者は、ＰＬＭＮ（Public Land Mobile Network）のひとつ以上のＥ-ＵＴＲＡＮセルにアクセスすることが許可される。特定された加入者がアクセスを許可されている１つ以上のＥ−ＵＴＲＡＮセルを「ＣＳＧ  ｃｅｌｌ（ｓ）」とよぶ。ただし、ＰＬＭＮにはアクセス制限がある。ＣＳＧセルとは、固有のＣＳＧアイデンティティ（CSG identity: CSG ID，CSG-ID）を報知するＰＬＭＮの一部である。あらかじめ利用登録し、許可された加入者グループのメンバーは、アクセス許可情報であるところのＣＳＧ−ＩＤを用いてＣＳＧセルにアクセスする。ＣＳＧ−ＩＤはＣＳＧセルかセルによって報知される。移動体通信システムにＣＳＧ−ＩＤは複数存在する。そして、ＣＳＧ−ＩＤは、ＣＳＧ関連のメンバーのアクセスを容易にするために移動端末（UE）によって使用される。ＣＳＧセルあるいはセルによって報知される情報をＣＳＧ−ＩＤの代わりにトラッキングエリアコード（Tracking Area Code  TAC）にすることが３ＧＰＰ会合において議論されている。移動端末の位置追跡は、１つ以上のセルからなる区域を単位に行われる。位置追跡は、待受け状態であっても移動端末の位置を追跡し、呼び出す（移動端末が着呼する）ことを可能にするためである。この移動端末の位置追跡のための区域をトラッキングエリアとよぶ。ＣＳＧホワイトリスト（CSG White List）とは、加入者が属するＣＳＧセルのすべてのＣＳＧ ＩＤが記録されている、ＵＳＩＭに格納されたリストである。移動端末内のホワイトリストは上位レイヤによって与えられる。これによりＣＳＧセルの基地局は移動端末に無線リソースの割り当てを行う。
【００１６】
「適切なセル」（Suitable cell）について以下説明する（非特許文献４  4.3章）。「適切なセル」（Suitable cell）とは、ＵＥが通常（normal）サービスを受けるためにキャンプオン（Camp ON）するセルである。そのようなセルは、（１）セルは選択されたＰＬＭＮか登録されたＰＬＭＮ、または「Ｅｑｕｉｖａｌｅｎｔ  ＰＬＭＮリスト」のＰＬＭＮの一部であること、（２）ＮＡＳ（non-access stratum）によって提供された最新情報にてさらに以下の条件を満たすこと、（a）そのセルが禁じられた（barred）セルでないこと。(b）そのセルが「ローミングのための禁止されたＬＡｓ」リストの一部ではなく、少なくとも１つのトラッキングエリア（Tracking Area:TA）の一部であること。その場合、そのセルは上記（１）を満たす必要がある、（c）そのセルが、セル選択評価基準を満たしていること、（d）そのセルが、ＣＳＧセルとしてシステム情報（System Information: SI）によって特定されたセルに関しては、ＣＳＧ−ＩＤはＵＥの「ＣＳＧホワイトリスト」（CSG WhiteList）の一部であること（UEのCSG WhiteList中に含まれること）。
【００１７】
「アクセプタブルセル」（Acceptable cell）について以下説明する（非特許文献４  ４．３章）これは、ＵＥが限られたサービス（緊急通報）を受けるためにキャンプオンするセルである。そのようなセルは以下のすべての要件を充足するものとする。つまり、Ｅ−ＵＴＲＡＮネットワークで緊急通報を開始するための最小のセットの要件を以下に示す。（１）そのセルが禁じられた（barred）セルでないこと。（２）そのセルが、セル選択評価基準を満たしていること。
【００１８】
３ＧＰＰにおいて、Ｈｏｍｅ−ＮｏｄｅＢ（Home-NB、HNB）、Ｈｏｍｅ−ｅＮｏｄｅＢ（Home-eNB、HeNB）と称される基地局が検討されている。ＨＮＢ／ＨｅＮＢはＵＴＲＡＮ／Ｅ−ＵＴＲＡＮにおける、例えば家庭、法人、商業用のアクセスサービス向けの基地局である。非特許文献６にＨｅＮＢ及びＨＮＢへのアクセスの３つの異なるモードが開示されている。オープンアクセスモード（Open access mode）とクローズドアクセスモード（Closed access mode）とハイブリッドアクセスモード（Hybrid access mode）である。各々のモードは以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルである。ハイブリッドアクセスモードのセルは、言い換えれば、オープンアクセスモードとクローズドアクセスモードの両方をサポートするセルである。
【先行技術文献】
【非特許文献】
【００１９】
【非特許文献１】３ＧＰＰ  ＴＳ３６．３００  Ｖ８．６．０  ４章、５章、６章
【００２０】
【非特許文献２】３ＧＰＰ  Ｒ１−０７２９６３
【００２１】
【非特許文献３】ＴＲ  Ｒ３．０２０Ｖ０．６．０
【００２２】
【非特許文献４】３ＧＰＰ  ＴＳ３６．３０４  Ｖ８．４．０  ３．１章、４．３章、５．２.４．２章、５．２.４．３章、５．２.４．６章
【００２３】
【非特許文献５】３ＧＰＰ  Ｒ２−０８２８９９
【００２４】
【非特許文献６】３ＧＰＰ  Ｓ１−０８３４６１
【００２５】
【非特許文献７】３ＧＰＰ  Ｒ２−０７５１４９
【００２６】
【非特許文献８】３ＧＰＰ  ＴＳ３６．３３１  Ｖ８．４．０  ５．２章、５．５章、６．３．１章
【００２７】
【非特許文献９】３ＧＰＰ  ＴＲ２５．８２０  Ｖ８．２．０  ５.１.１章
【発明の概要】
【発明が解決しようとする課題】
【００２８】
ＨｅＮＢ及びＨＮＢに対してはさまざまなサービスへの対応が求められている。例えば、オペレータは、ある決められたＨｅＮＢ及びＨＮＢに移動端末を登録させ、登録した移動端末のみにＨｅＮＢ及びＨＮＢのセルへのアクセスを許可することで、該移動端末が使用できる無線リソースを増大させて高速に通信を行えるようにする。その分、オペレータは課金料を通常よりも高く設定する。といったサービスである。こういったサービスを実現するため、登録した（加入した、メンバーとなった）移動端末のみがアクセスできるＣＳＧ（Closed Subscriber Group cell）セルが導入されている。ＣＳＧ（Closed Subscriber Group cell）セルは、商店街やマンション、学校、会社などへ数多く設置されることが要求される。たとえば、商店街では店舗ごと、マンションでは部屋ごと、学校では教室ごと、会社ではセクションごとにＣＳＧセルを設置し、各ＣＳＧセルに登録したユーザのみが該ＣＳＧセルを使用可能とするような使用方法が要求されている。ＨｅＮＢ／ＨＮＢはマクロセルのカバレッジ外での通信を補完するためだけでなく、上述したようなさまざまなサービスへの対応が求められている。このため、ＨｅＮＢ／ＨＮＢが数多く設置される場合も生じる。また、ＨｅＮＢ／ＨＮＢのセル半径はマクロセルのセル半径と比較して小さいことが予想される。
【００２９】
ＨｅＮＢ／ＨＮＢが数多く設置される場合、セル半径が小さいことから、マクロセルのみが配置されている場合と比較して、移動端末においてＨｅＮＢ／ＨＮＢ間でのセル再選択の回数が多くなる。セル再選択が増えることは、移動端末が新たなセルの報知情報を受信する回数がセル再選択の増加分多く必要となり、移動端末の消費電力増大という問題が生じる。
【課題を解決するための手段】
【００３０】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、選択されたセルが前記第一のセルである場合、移動状態検出用のセル選択回数にはカウントが追加され、選択されたセルが第二のセルである場合、移動状態検出用のセル選択回数にはカウントが追加されないものである。
【００３１】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、移動状態情報が高速移動状態であるときに、第一のセルへのセル選択あるいはハンドオーバを行い、第二のセルへのセル選択及びハンドオーバを行わず、移動状態情報が中速移動状態ないし通常移動状態であるときに第一のセルあるいは第二のセルへのセル選択及びハンドオーバを行うものである。
【００３２】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、同じセル間でセル選択を行った回数をカウントし、連続選択回数が所定の閾値を超えた場合、または規定時間内に同じセルのセル選択回数が所定の閾値を超えた場合に、セル選択あるいはハンドオーバを制御するものである。
【発明の効果】
【００３３】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、選択されたセルが前記第一のセルである場合、セル選択回数にはカウントが追加され、選択されたセルが第二のセルである場合、移動状態検出用のセル選択回数にはカウントが追加されないので、第二のセルの選択が移動端末の移動状態の判断に影響しない。よってセル選択を制御するパラメータを適切に調整することが可能となり、セル再選択の増加を防ぐことができる。セル再選択の増加を防ぐことは、移動端末が新たなセルの報知情報を受信する回数を減らすことに繋がる。よって、移動端末の消費電力削減という効果を得ることが出来る。
【００３４】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、移動状態情報が高速移動状態であるときに、第一のセルへのセル選択あるいはハンドオーバを行い、第二のセルへのセル選択及びハンドオーバを行わず、移動状態情報が中速移動状態ないし通常移動状態であるときに第一のセル及び第二のセルへのセル選択あるいはハンドオーバを行うので、セルの再選択の繰り返しを防ぐことが可能となり、移動端末の消費電力の削減という効果を得ることが出来る。またハンドオーバの繰り返しを防ぐことが可能となり、無線リソースの有効活用、移動体通信システムとしての制御遅延の削減、移動端末の消費電力の削減という効果を得ることが出来る。
【００３５】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いてデータの送受信を行う移動端末と、所定の領域内に位置する移動端末と通信可能な領域を形成する第一のセル、この第一のセルよりも狭い範囲内で移動端末と通信可能な領域を形成する第二のセルのそれぞれに設けられた基地局とを含む移動体通信システムにおいて、移動端末は、ある一定期間にセル選択を行ったセル選択回数に基づいて移動端末の移動状態を示す移動状態情報を決定するとともに、この移動状態情報と基地局から通知されたセル選択を制御するパラメータに基づいてセル選択を行うものであって、同じセル間でセル選択を行った回数をカウントし、連続選択回数が所定の閾値を超えた場合、または規定時間内に同じセルのセル選択回数が所定の閾値を超えた場合に、セル選択あるいはハンドオーバを規制するので、同じセル間で再選択を繰り返すピンポン現象を検出した場合、セル再選択、ハンドオーバをし難い移動体通信システムとすることが可能となる。これによりセルの境界付近に位置する移動端末が微小な移動、あるいは微小な無線環境の変化が起こった場合であってもセル再選選択、あるいはハンドオーバを行わないようにすることができる。
【図面の簡単な説明】
【００３６】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰで議論されている移動体通信システムの全体的な構成を示すブロック図である。
【図８】本発明に係る移動端末３１１の構成を示すブロック図である。
【図９】本発明に係る基地局３１２の構成を示すブロック図である。
【図１０】本発明に係るＭＭＥの構成を示すブロック図である。
【図１１】本発明に係るＨｅＮＢＧＷの構成を示すブロック図である。
【図１２】ＬＴＥ方式の通信システムにおいて移動端末（ＵＥ）が行うセルサーチの概略を示すフローチャートである。
【図１３】実施の形態１の課題を示す概念図である。
【図１４】実施の形態１における移動体通信システムの動作を示すシーケンス図である。
【図１５】実施の形態１における移動端末が行うセル再選択を行うか否かの判断のフローチャートである。
【図１６】実施の形態１の変形例１における移動体通信システムの動作を示すシーケンス図である。
【図１７】実施の形態１の変形例２における移動体通信システムの動作を示すシーケンス図である。
【図１８】実施の形態１の変形例３における移動体通信システムの動作を示すシーケンス図である。
【図１９】実施の形態２における移動端末の動作を示すフローチャートである。
【図２０】実施の形態２の効果を示す概念図である。
【図２１】実施の形態２の変形例１における移動端末の動作を示すフローチャートである。
【図２２】実施の形態２の変形例２における移動端末の動作を示すフローチャートである。
【図２３】実施の形態２の変形例３における移動端末の動作を示すフローチャートである。
【図２４】実施の形態２の変形例４における移動端末の動作を示すフローチャートである。
【図２５】実施の形態２の変形例５における移動体通信システムの動作を示すシーケンス図である。
【図２６】実施の形態３の課題を示す概念図である。
【図２７】実施の形態３における移動体通信システムの動作を示すシーケンス図である。
【図２８】実施の形態３の効果を示す概念図である。
【図２９】実施の形態３の変形例１の課題を示す概念図である。
【図３０】実施の形態３の変形例１における移動体通信システムの動作を示すシーケンス図である。
【図３１】実施の形態３の変形例２における移動体通信システムの動作を示すシーケンス図である。
【発明を実施するための形態】
【００３７】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（e-UTRANのHome-eNodeB（Home-eNB,HeNB）,UTRANのHome-NB（HNB））とｎｏｎ-ＣＳＧセル（e-UTRANのeNodeB（eNB）、UTRANのNodeB(NB)、GERANのBSS）とを含めたシステムの全体的な構成が検討されており、ｅ−ＵＴＲＡＮについては、図７の（ａ）や（ｂ）のような構成が提案されている（非特許文献１、非特許文献３）。図７（ａ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。Ｈｏｍｅ−ｅＮＢ７２−２はＭＭＥ７３とインタフェースＳ１により接続され、Ｈｏｍｅ−ｅＮＢとＭＭＥとの間で制御情報が通信される。ひとつのＭＭＥに対して複数のＨｏｍｅ−ｅＮＢが接続される。
【００３８】
次に、図７（ｂ）について説明する。移動端末（ＵＥ）７１は基地局７２と送受信を行う。基地局７２はｅＮＢ（non-CSGセル）７２−１と、Ｈｏｍｅ−ｅＮＢ（CSGセル）７２−２とに分類される。図７（ａ）と同じように、ｅＮＢ７２−１はＭＭＥ７３とインタフェースＳ１により接続され、ｅＮＢとＭＭＥとの間で制御情報が通信される。ひとつのｅＮＢに対して複数のＭＭＥが接続される。一方、Ｈｏｍｅ−ｅＮＢ７２−２はＨｅＮＢＧＷ（Home-eNB GateWay）７４を介してＭＭＥ７３と接続される。Ｈｏｍｅ−ｅＮＢとＨｅＧＷはインタフェースＳ１により接続され、ＨｅＮＢＧＷ７４とＭＭＥ７３はインタフェースＳ１＿ｆｌｅｘを介して接続される。ひとつまたは複数のＨｏｍｅ−ｅＮＢ７２−２がひとつのＨｅＮＢＧＷ７４と接続され、Ｓ１を通して情報が通信される。ＨｅＮＢＧＷ７４はひとつまたは複数のＭＭＥ７３と接続され、Ｓ１＿ｆｌｅｘを通して情報が通信される。
【００３９】
図７（ｂ）の構成を用いて、ひとつのＨｅＮＢＧＷ７４を、同じＣＳＧ−ＩＤに属するＨｏｍｅ−ｅＮＢと接続することによって、例えばレジストレーション情報など、同じ情報をＭＭＥ７３から同じＣＳＧ−ＩＤに属する複数のＨｏｍｅ−ｅＮＢ７２−２に送信する場合、一旦ＨｅＮＢＧＷ７４へ送信し、そこから複数のＨｏｍｅ−ｅＮＢ７２−２へ送信することで、複数のＨｏｍｅ−ｅＮＢ７２−２に対してそれぞれ直接に送信するよりもシグナリング効率を高められる。一方、各Ｈｏｍｅ−ｅＮＢ７２−２がそれぞれ個別の情報をＭＭＥ７３と通信する場合は、ＨｅＮＢＧＷ７４を介すがそこで情報を加工することなく通過（透過）させるだけにしておくことで、Ｈｏｍｅ−ｅＮＢ７２−２とＭＭＥ７３があたかも直接接続されているように通信することも可能となる。
【００４０】
図８は、本発明に係る移動端末（図７の端末７１）の構成を示すブロック図である。図８に示す移動端末の送信処理を説明する。まず、プロトコル処理部８０１からの制御データ、アプリケーション部８０２からのユーザデータが送信データバッファ部８０３へ保存される。送信データバッファ部８０３に保存されたデータはエンコーダー部８０４へ渡され、誤り訂正などのエンコード処理が施される。エンコード処理を施さずに送信データバッファ部８０３から変調部８０５へ直接出力されるデータが存在しても良い。エンコーダー部８０４でエンコード処理されたデータは変調部８０５にて変調処理が行われる。変調されたデータはベースバンド信号に変換された後、周波数変換部８０６へ出力され、無線送信周波数に変換される。その後、アンテナ８０７から基地局３１２に送信信号が送信される。また、移動端末３１１の受信処理は以下のとおり実行される。基地局３１２からの無線信号がアンテナ８０７により受信される。受信信号は、周波数変換部８０６にて無線受信周波数からベースバンド信号に変換され、復調部８０８において復調処理が行われる。復調後のデータはデコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末の一連の処理は制御部８１０によって制御される。よって制御部８１０は、図面では省略しているが、各部（801〜809）と接続している。
【００４１】
図９は、本発明に係る基地局（図７の基地局７２）の構成を示すブロック図である。図９に示す基地局の送信処理を説明する。ＥＰＣ通信部９０１は、基地局７２とＥＰＣ（MME73,HeNBGW74など）間のデータの送受信を行う。他基地局通信部９０２は、他の基地局との間のデータの送受信を行う。ＥＰＣ通信部９０１、他基地局通信部９０２はそれぞれプロトコル処理部９０３と情報の受け渡しを行う。プロトコル処理部９０３からの制御データ、またＥＰＣ通信部９０１と他基地局通信部９０２からのユーザデータ及び制御データが送信データバッファ部９０４へ保存される。送信データバッファ部９０４に保存されたデータはエンコーダー部９０５へ渡され、誤り訂正などのエンコード処理が施される。エンコード処理を施さずに送信データバッファ部９０４から変調部９０６へ直接出力されるデータが存在しても良い。エンコードされたデータは変調部９０６にて変調処理が行われる。変調されたデータはベースバンド信号に変換された後、周波数変換部９０７へ出力され、無線送信周波数に変換される。その後、アンテナ９０８より一つもしくは複数の移動端末７１に対して送信信号が送信される。また、基地局７２の受信処理は以下のとおり実行される。ひとつもしくは複数の移動端末３１１からの無線信号がアンテナ９０８により受信される。受信信号は周波数変換部９０７にて無線受信周波数からベースバンド信号に変換され、復調部９０９で復調処理が行われる。復調されたデータはデコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１、他基地局通信部９０２へ渡される。基地局７２の一連の処理は制御部９１１によって制御される。よって制御部９１１は図面では省略しているが各部（901〜910）と接続している。
【００４２】
図１０は、本発明に係るＭＭＥ(Mobility Management Entity)の構成を示すブロック図である。ＰＤＮ  ＧＷ通信部１００１はＭＭＥ７３とＰＤＮ  ＧＷ間のデータの送受信を行う。基地局通信部１００２はＭＭＥ７３と基地局７２間をＳ１インタフェースによるデータの送受信を行う。ＰＤＮ  ＧＷから受信したデータがユーザデータであった場合、ユーザデータはＰＤＮ  ＧＷ通信部１００１からユーザプレイン処理部１００３経由で基地局通信部１００２に渡され、１つあるいは複数の基地局７２へ送信される。基地局７２から受信したデータがユーザデータであった場合、ユーザデータは基地局通信部１００２からユーザプレイン処理部１００３経由でＰＤＮ  ＧＷ通信部１００１に渡され、ＰＤＮ  ＧＷへ送信される。
【００４３】
ＰＤＮ  ＧＷから受信したデータが制御データであった場合、制御データはＰＤＮ  ＧＷ通信部１００１から制御プレイン制御部１００５へ渡される。基地局７２から受信したデータが制御データであった場合、制御データは基地局通信部１００２から制御プレイン制御部１００５へ渡される。ＨｅＮＢＧＷ通信部１００４は、ＨｅＮＢＧＷ７４が存在する場合に設けられ、情報種別によって、ＭＭＥ７３とＨｅＮＢＧＷ７４間のインタフェース（ＩＦ）によるデータの送受信を行う。ＨｅＮＢＧＷ通信部１００４から受信した制御データはＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【００４４】
制御プレイン制御部１００５には、ＮＡＳセキュリティ部１００５−１、ＳＡＥベアラコントロール部１００５−２、アイドルステート（Idle State）モビリティ管理部１００５―３などが含まれ、制御プレインに対する処理全般を行う。ＮＡＳセキュリティ部１００５―１はＮＡＳ（Non-Access Stratum）メッセージのセキュリティなどを行う。ＳＡＥベアラコントロール部１００５―２はＳＡＥ（System Architecture Evolution）のベアラの管理などを行う。アイドルステートモビリティ管理部１００５―３は、待受け（LTE‐IDLE状態、単にアイドルとも称される）状態のモビリティ管理、待受け状態時のページング信号の生成及び制御、傘下の１つあるいは複数の移動端末７１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area: TA）に属するセルへページングメッセージを送信することで、ページングプロトコルに着手する。ＭＭＥに接続されるＨｏｍｅ−ｅＮＢ７２−２のＣＳＧの管理やＣＳＧ−ＩＤの管理、そしてホワイトリスト管理を、アイドルステートモビリティ管理部１００５―３で行っても良い。ＣＳＧ−ＩＤの管理では、ＣＳＧ−ＩＤに対応する移動端末とＣＳＧセルの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルの関係であっても良い。ホワイトリスト管理では、移動端末とＣＳＧ−ＩＤの関係が管理（追加、削除、更新、検索）される。例えば、ホワイトリストには、ある移動端末がユーザ登録した一つまたは複数のＣＳＧ−ＩＤが記憶されても良い。これらのＣＳＧに関する管理はＭＭＥ７３の中の他の部分で行われても良いが、アイドルステートモビリティ管理部１００５―３で行うことで、現在３ＧＰＰ会合で議論されている、ＣＳＧ−ＩＤの代わりにトラッキングエリアコード（Tracking Area Code）を用いる方法が効率よく行える。ＭＭＥ３１３の一連の処理は制御部１００６によって制御される。よって制御部１００６は図面では省略しているが各部（1001〜1005）と接続している。
【００４５】
図１１は、本発明に係るＨｅＮＢＧＷの構成を示すブロック図である。ＥＰＣ通信部１１０１はＨｅＮＢＧＷ７４とＭＭＥ７３間をＳ１＿ｆｌｅｘインタフェースによるデータの送受信を行う。基地局通信部１１０２はＨｅＮＢＧＷ７４とＨｏｍｅ−ｅＮＢ７２−２間をＳ１インタフェースによるデータの送受信を行う。ロケーション処理部１１０３は、ＥＰＣ通信部１１０１経由で渡されたＭＭＥ７３からのデータのうちレジストレーション情報など、複数のＨｏｍｅ−ｅＮＢに送信する処理を行う。ロケーション処理部１１０３で処理されたデータは、基地局通信部１１０２に渡され、ひとつまたは複数のＨｏｍｅ−ｅＮＢ７２−２にＳ１インタフェースを介して送信される。ロケーション処理部１１０３での処理を必要とせず通過（透過）させるだけのデータは、ＥＰＣ通信部１１０１から基地局通信部１１０２に渡され、ひとつまたは複数のＨｏｍｅ−ｅＮＢ７２−２にＳ１インタフェースを介して送信される。ＨｅＮＢＧＷ７４の一連の処理は制御部１１０４によって制御される。よって制御部１１０４は図面では省略しているが各部（1101〜1103）と接続している。
【００４６】
次に移動体通信システムにおける一般的なセルサーチ方法の一例を示す。図１２は、ＬＴＥ方式の通信システムにおいて移動端末（UE）が行うセルサーチから待ち受け動作までの概略を示すフローチャートである。移動端末にてセルサーチが開始されると、ステップＳＴ１２０１で周辺の基地局から送信される第一同期信号（P−SS）、第二同期信号（S−SS）を用いてスロットタイミング、フレームタイミングの同期をとる。Ｐ−ＳＳとＳ−ＳＳあわせて、同期信号（SS）にはセル毎に割り当てられたＰＣＩ（Physical Cell Identity）に１対１対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。次に同期がとれたセルに対して、ステップＳＴ１２０２で、基地局からセル毎に送信される参照信号ＲＳ（Reference Signal）を検出し受信電力の測定を行う。参照信号ＲＳにはＰＣＩと１対１に対応したコードが用いられており、そのコードで相関をとることによって他セルと分離できる。ＳＴ１２０１で特定したＰＣＩから該セルのＲＳ用のコードを導出することによって、ＲＳを検出し、ＲＳ受信電力を測定することが可能となる。次にＳＴ１２０３で、ＳＴ１２０２までで検出されたひとつ以上のセルの中から、ＲＳの受信品質が最も良いセル（例えば、ＲＳの受信電力が最も高いセル、つまりベストセル）を選択する。次にＳＴ１２０４でベストセルのＰＢＣＨを受信して、報知情報であるＢＣＣＨを得る。ＰＢＣＨ上のＢＣＣＨには、セル構成情報が含まれるＭＩＢ（Master Information Block）がのる。ＭＩＢの情報としては、例えば、ＤＬ（ダウンリンク）システム帯域幅、送信アンテナ数、ＳＦＮ（System Frame Number）などがある。
【００４７】
次に１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には該セルへのアクセスに関する情報や、セルセレクションに関する情報、他のＳＩＢ（SIBk;k≧2の整数）のスケジューリング情報が含まれる。また、ＳＩＢ１にはＴＡＣ（Tracking Area Code）が含まれる。次にＳＴ１２０６で、移動端末は、ＳＴ１２０５で受信したＴＡＣと、移動端末が既に保有しているＴＡＣと比較する。比較した結果、同じならば、該セルで待ち受け動作に入る。比較して異なる場合は、移動端末は該セルを通してコアネットワーク（Core Network, EPC）（ＭＭＥなどが含まれる）へ、ＴＡＵ（Tracking Area Update）を行うためＴＡの変更を要求する。コアネットワークは、ＴＡＵ要求信号とともに移動端末から送られてくる該移動端末の識別番号（UE−IDなど）をもとに、ＴＡの更新を行う。コアネットワークはＴＡの更新後、移動端末にＴＡＵ受領信号を送信する。移動端末は該セルのＴＡＣで、移動端末が保有するＴＡＣ（あるいはＴＡＣリスト）を書き換える（更新する）。その後移動端末は該セルで待ち受け動作に入る。
【００４８】
ＬＴＥやＵＭＴＳ（Universal Mobile Telecommunication System）においては、ＣＳＧ（Closed Subscriber Group）セルの導入が検討されている。前述したように、ＣＳＧセルに登録したひとつまたは複数の移動端末のみにアクセスが許される。ＣＳＧセルと登録されたひとつまたは複数の移動端末がひとつのＣＳＧを構成する。このように構成されたＣＳＧにはＣＳＧ−ＩＤと呼ばれる固有の識別番号が付される。なお、ひとつのＣＳＧには複数のＣＳＧセルがあっても良い。移動端末はどれかひとつのＣＳＧセルに登録すればそのＣＳＧセルが属するＣＳＧの他のＣＳＧセルにはアクセス可能となる。また、ＬＴＥでのＨｏｍｅ−ｅＮＢやＵＭＴＳでのＨｏｍｅ−ＮＢがＣＳＧセルとして使われることがある。ＣＳＧセルに登録した移動端末は、ホワイトリストを有する。具体的にはホワイトリストはＳＩＭ／ＵＳＩＭに記憶される。ホワイトリストには、移動端末が登録したＣＳＧセルのＣＳＧ情報がのる。ＣＳＧ情報として具体的には、ＣＳＧ−ＩＤ、ＴＡＩ（Tracking Area Identity）、ＴＡＣなどが考えられる。ＣＳＧ−ＩＤとＴＡＣが対応づけられていれば、どちらか一方で良い。また、ＣＳＧ−ＩＤやＴＡＣとＧＣＩ（Global Cell Identity）が対応付けられていればＧＣＩでもよい。以上から、ホワイトリストを有しない（本発明においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【００４９】
３ＧＰＰでは、全ＰＣＩ（Physical Cell Identity）を、ＣＳＧセル用とｎｏｎ−ＣＳＧセル用とに分割（ＰＣＩスプリットと称する）することが議論されている（非特許文献５）。またＰＣＩスプリット情報は、システム情報にて基地局から傘下の移動端末に対して報知されることが議論されている。ＰＣＩスプリットを用いた移動端末の基本動作を開示する。ＰＣＩスプリット情報を有しない移動端末は、全ＰＣＩを用いて（例えば５０４コード全てを用いて）セルサーチを行う必要がある。対してＰＣＩスプリット情報を有する移動端末は、当該ＰＣＩスプリット情報を用いてセルサーチを行うことが可能である。
【００５０】
３ＧＰＰでは、移動端末のセル再選択（Cell reselection）の方法が開示されている（非特許文献4  5.2.4.2章、5.2.4.6章）。セル再選択のための測定は以下の条件にて行われる。サービングセルからパラメータ（S_intrasearch）の通知があった場合、かつサービングセルの受信レベル値が当該パラメータより大きい場合は測定を行わない。一方、サービングセルから当該パラメータの通知がなかった場合、またはサービングセルの受信レベル値が当該パラメータ以下の場合は測定を行う。なおサービングセルとは、移動端末に対して無線リソースのスケジューリングを行っている基地局をさす。３ＧＰＰでは、セル再選択の基準が開示されている。セルの順位付け（セルランキング：cell-rankingと称される）が以下のように行われる。サービングセルの測定値に調整パラメータ（Q_Hyst）を加えた値と周辺セルの測定値から調整パラメータ（Q_offset）を減じた値を用いてサービングセル及び周辺セル(１つあるいは複数)の順位付けが行われる。以下の２つの条件を満たした場合、移動端末は新しいセルへ再選択を行う。（１）ある期間（T_reselection）、新しいセルがサービングセルより良く（あるいは上位に）順位付けされる。（２）現在のサービングセルへキャンプオン（camped on）して１秒以上経過している。
【００５１】
３ＧＰＰでは、移動端末の移動状態（モビリティ状態（Mobility states）と称される）について開示されている（非特許文献4 5.2.4.3章）。サービングセルから移動状態パラメータ（Mobility State Parameters）としてT_CRmax、N_CR_H、N_CR_M、T_CRmaxHystなどがシステム情報として報知される。中速移動状態（Medium-mobility state）の基準は、ある期間（T_CRmax）に移動状態検出用のセルの再選択（reselection）回数が中速用閾値（N_CR_M）を超え、高速用閾値（N_CR_H）を超えない場合である。移動端末は、中速移動状態を検出すると中速移動状態へ遷移する。高速移動状態（High-mobility state）の基準は、ある期間（T_CRmax）に移動状態検出用のセルの再選択（reselection）回数が高速用閾値（N_CR_H）を超える場合である。移動端末は、高速移動状態を検出すると高速移動状態へ遷移する。移動端末は、同じ２つのセル間の再選択は、移動状態検出用には数えない。移動端末は、ある期間（T_CRmaxHyst）にて中速移動状態も高速移動状態も検出しない場合、通常移動状態（Normal-mobility state）へ遷移する。
【００５２】
移動状態に応じたスケーリング方法について定義されている（非特許文献4 5.2.4.3章）。中速移動状態、あるいは高速移動状態でなければスケーリング方法は適用されない。高速移動状態を検出した場合、セルの順位付けで用いられるサービングセルの測定値調整パラメータ（Q_hyst）を高速移動状態用に調整する。具体的にはサービングセルの測定値調整パラメータ（Q_hyst）にサービングセルの測定値調整パラメータ用の高速移動状態用のスケーリングファクタ（Speed dependent scaling factor for Q_hyst for high Mobility state）を乗じる。中速移動状態を検出した場合、セルの順位付けで用いられるサービングセルの測定値調整パラメータ（Q_hyst）を中速移動状態用に調整する。具体的にはサービングセルの測定値調整パラメータ（Q_hyst）にサービングセルの測定値調整パラメータ用の中速移動状態用のスケーリングファクタ（Speed dependent scaling factor for Q_hyst for medium Mobility state）を乗じる。サービングセルの測定値調整パラメータ用の高速移動状態用のスケーリングファクタ、サービングセルの測定値調整パラメータ用の中速移動状態用のスケーリングファクタはサービングセルからシステム情報として報知される。
【００５３】
３ＧＰＰにて、移動端末の移動状態に応じたセル再選択方法が議論されている（非特許文献７）。移動端末が高速移動状態であればセル再選択を容易にさせることが記載されている。また、セル境界（cell boundary）ではセル再選択が繰り返される「ピンポン（ping-pong）現象」が発生することが記載されている。移動端末がセル再選択回数を数えることで移動状態を判別する場合、ピンポン現象がおきれば高速移動状態と判断されることが記載されている。高速移動状態となれば、セル再選択がさらに容易に調整されるため、移動端末はこの状況から回復できないという問題が指摘されている。非特許文献７では当該課題を移動端末の移動状態判別方法をドップラ周波数測定を用いる方法に変更することで解決することを記載している。
【００５４】
実施の形態１にて解決する課題について説明する。ＨｅＮＢ（ＨＮＢであっても良い）がマクロセルのカバレッジ内に数多く設置される場合、セル半径が小さいことから、マクロセルのみが配置されている場合と比較して、移動端末においてＨｅＮＢ間でのセル再選択の回数が多くなる。図１３を用いて説明する。図１３（ａ）にマクロセル１３０１のカバレッジ内に存在する移動端末１３０２が矢印のように移動することを示している。ＨｅＮＢが多く設置されるロケーションにて、同じ移動速度で移動端末が移動する場合を図１３（ｂ）に示す。同じ移動速度であってもＨｅＮＢが多く設置されるロケーションでは、移動端末１３０２は、ＨｅＮＢ１３０３、ＨｅＮＢ１３０４、ＨｅＮＢ１３０５、ＨｅＮＢ１３０６、ＨｅＮＢ１３０７とセル再選択を繰り返す。図１３（ａ）では再選択回数が０回であるのに対して、図１３（ｂ）では再選択回数が４回となる。このとき、移動端末の移動状態判別方法として、非特許文献４に開示されているセル再選択回数を用いた場合を考える。移動端末の実際の移動速度が同じであっても、マクロセルのみが配置される場合と比較して、ＨｅＮＢが多く設置されるロケーションにてセル再選択が繰り返し発生する場合がある。よってＨｅＮＢが多く設置されるロケーションでは、高速移動状態、あるいは中速移動状態と判断される確率が高くなる。
【００５５】
非特許文献７に示されたとおり、移動端末が高速移動状態であればセル再選択を容易にさせるように移動体通信システムが調整された場合を考える。ＨｅＮＢが多く設置されるロケーションでは高速移動状態と判断される確率が高くなる。よってＨｅＮＢが多く設置されるロケーションではセル再選択を容易にさせるように移動体通信システムが調整される確率が高くなる。当該調整にて移動端末のセル再選択回数は、ますます増加する。移動端末はこのセル再選択回数が多い状況から回復できない。セル再選択回数が多いことは、移動端末が新たなセルの報知情報を受信する回数がセル再選択の増加分多く必要となり、移動端末の消費電力増大という問題が生じる。非特許文献４には、移動端末が同じ２つのセル間の再選択を移動状態検出用には数えないことが開示されている。当該技術をＨｅＮＢが多く設置されるロケーションに適応した場合を考える。図１３（ｂ）に示すとおり、移動端末のセルの再選択が同じセル間で行われていないため、当該セルの再選択は移動状態検出用に数えられることになる。よって非特許文献４に開示された技術では当該課題は解決できない。当該課題はＨｅＮＢが多く設置されるロケーションにて発生する課題であるため、ＨｅＮＢの導入が検討されていない非特許文献７においては課題の示唆はない。
【００５６】
本実施の形態１での解決策を以下に示す。移動端末がＣＳＧセルの再選択を移動状態検出用には数えないことを開示する。具体例についてＬＴＥシステムを用いて以下説明する。移動端末が再選択したセル（あるいは再選択しようとするセル）がＣＳＧセルか否かを判断する方法の具体例について以下に示す。ＣＳＧセルであるか否かＣＳＧインジケータを用いて判断する。ＣＳＧインジケータは３ＧＰＰの議論においてシステム情報としてＳＩＢ１にマッピングされ、基地局から報知される方向である（非特許文献８）。ＣＳＧインジケータが「ＴＲＵＥ」であれば、当該セルはＣＳＧセルと判断できる。ＣＳＧセルであるか否かＣＳＧインジケータを用いて判断することは、追加の情報が不要となり、無線リソースの有効活用という効果を得ることが出来る。また別の方法としてＣＳＧセルであるか否かＣＳＧ−ＩＤ（CSG identity）を用いて判断する。ＣＳＧ−ＩＤは３ＧＰＰの議論においてシステム情報としてＳＩＢ１にマッピングされ、基地局から報知される方向である（非特許文献８）。ＣＳＧ−ＩＤが含まれていれば、当該セルはＣＳＧセルと判断できる。ＣＳＧセルであるか否かＣＳＧ−ＩＤを用いて判断することは、追加の情報が不要となり、無線リソースの有効活用という効果を得ることが出来る。また別の方法としてＣＳＧセルであるか否かＰＣＩスプリット情報を用いて判断する。３ＧＰＰの議論においてＰＣＩはＣＳＧセル用とｎｏｎ−ＣＳＧセル用とに分割する方向である（非特許文献５）。ＣＳＧセル用のＰＣＩであれば、当該セルはＣＳＧセルと判断できる。ＣＳＧセルであるか否かＰＣＩを用いて判断することは、追加の情報が不要となり、無線リソースの有効活用という効果を得ることが出来る。
【００５７】
図１４に動作の一例を示す。具体例としてＬＴＥシステムについて説明する。図では移動端末が再選択したセルがＣＳＧセルか否かを判断する方法としてＣＳＧインジケータを用いた場合を示す。ステップＳＴ１４０１にてサービングセルは移動状態パラメータをシステム情報として傘下の移動端末へ報知する。移動状態パラメータの具体例としては、T_CRmax、N_CR_H、N_CR_M、T_CRmaxHystなどがある。ステップＳＴ１４０２にて移動端末はサービングセルより移動状態パラメータを受信する。移動端末は、T_CRmaxおよびT_CRmaxHystのタイマを開始する。T_CRmaxおよびT_CRmaxHystのタイマはタイムアウトすると再開される。ステップＳＴ１４０３にて移動端末はセル再選択を行ったか否かを判断する。セル再選択を行っていない場合、ステップＳＴ１４０３の判断を繰り返す。セル再選択を行った場合、ステップＳＴ１４０５へ遷移する。ステップＳＴ１４０３のセル再選択を行ったか否かの判断の詳細は図１５の説明で後述する。
【００５８】
ステップＳＴ１４０４にて再選択された基地局はＣＳＧインジケータをシステム情報として傘下の移動端末へ報知する。ステップＳＴ１４０５にて移動端末は再選択された基地局、つまりサービングセルよりＣＳＧインジケータを受信する。ステップＳＴ１４０６にて再選択された基地局はセルランキング用パラメータをシステム情報として傘下の移動端末へ報知する。セルランキング用パラメータの具体例としては、Q_Hyst 、Q_offsetなどがある。ステップＳＴ１４０７にて移動端末は、再選択された基地局、つまりサービングセルよりセルランキング用パラメータを受信する。ステップＳＴ１４０８にて再選択された基地局はセルランキング用パラメータの速度に応じた調整パラメータをシステム情報として傘下の移動端末へ報知する。セルランキング用パラメータの速度に応じた調整パラメータの具体例としては、サービングセルの測定値調整パラメータ用の高速移動状態用のスケーリングファクタ、サービングセルの測定値調整パラメータ用の中速移動状態用のスケーリングファクタなどがある。ステップＳＴ１４０９にて移動端末は、再選択された基地局、つまりサービングセルよりセルランキング用パラメータの速度に応じた調整パラメータを受信する。
【００５９】
ステップＳＴ１４１０にて移動端末は、当該再選択が同じセル間の選択に該当するか否かを判断する。同じセル間の選択に該当した場合、ステップＳＴ１４０３へ戻る。同じセル間の選択に該当しない場合、ステップＳＴ１４１１へ遷移する。ステップＳＴ１４１１にて移動端末は、再選択したセルがＣＳＧセルであるか否かを判断する。当該判断の具体例としては、ステップＳＴ１４０５にて受信したＣＳＧインジケータを用いる。具体例としてはＣＳＧインジケータが「ＴＲＵＥ」を示していれば当該セルがＣＳＧセルであると判断し、「ＴＲＵＥ」を示していなければ当該セルがＣＳＧセルでないと判断する。ＣＳＧセルであると判断した場合、ステップＳＴ１４０３へ戻る。ＣＳＧセルでないと判断した場合、ステップＳＴ１４１２へ遷移する。ステップＳＴ１４１２にて移動端末は、セルの再選択回数を数えるための再選択回数のカウント値に１を加える。言い換えれば移動状態検出用のセル選択回数のカウント値に１を加える。その後ステップＳＴ１４０３へ戻る。当該カウント値は移動端末の移動状態検出用に用いられる。よって例えば当該カウント値は、Ｔ＿ＣＲｍａｘがタイムアウトした際にはリセット（「０」に戻される。）される。またＴ＿ＣＲｍａｘがタイムアウトした際には、引き続き移動端末の移動状態検出を行うため、Ｔ＿ＣＲｍａｘが再開される。
【００６０】
次に図１５を用いて移動端末のセル再選択を行ったか否かの判断の詳細動作の具体例について説明する。ステップＳＴ１５０１にてセル再選択のための測定を行うか否かの判断を行う。セル再選択のための測定を行わないと判断した場合、ステップＳＴ１５０１の判断を繰り返す。セル再選択のための測定を行うと判断した場合、ステップＳＴ１５０２へ遷移する。セル再選択を行うか否かの判断の具体例としては、サービングセルの受信レベル値がパラメータ（S_intrasearch）より大きい場合は測定を行わないと判断する。一方サービングセルの受信レベル値がパラメータ（S_intrasearch）以下の場合は測定を行うと判断する。ステップＳＴ１５０２にて移動状態検出用の再選択回数のカウント値が中速用閾値（N_CR_M）を超えたか否かを判断する。超えた場合ステップＳＴ１５０３へ遷移する。超えない場合ステップＳＴ１５０８へ遷移する。ステップＳＴ１５０３にて移動状態検出用の再選択回数のカウント値が高速用閾値（N_CR_H）を超えたか否かを判断する。超えた場合、高速移動状態を検出し、ステップＳＴ１５０４へ遷移する。超えない場合、中速移動状態を検出し、ステップＳＴ１５０６へ遷移する。ステップＳＴ１５０４にて高速移動状態へ遷移し、ステップＳＴ１５０５へ遷移する。ステップＳＴ１５０５にてサービングセルの測定値調整パラメータを高速移動用に調整する。具体例としては、サービングセルの測定値調整パラメータ（Q_hyst）にサービングセルの測定値調整パラメータ用の高速移動状態用のスケーリングファクタ（Speed dependent scaling factor for Q_hyst for high Mobility state）を乗じる。その後ステップＳＴ１５１１へ遷移する。
【００６１】
ステップＳＴ１５０６にて中速移動状態へ遷移し、ステップＳＴ１５０７へ遷移する。ステップＳＴ１５０７にてサービングセルの測定値調整パラメータを中速移動用に調整する。具体例としては、サービングセルの測定値調整パラメータ（Q_hyst）にサービングセルの測定値調整パラメータ用の中速移動状態用のスケーリングファクタ（Speed dependent scaling factor for Q_hyst for medium Mobility state）を乗じる。その後ステップＳＴ１５１１へ遷移する。ステップＳＴ１５０８にて移動端末の移動状態が通常であるか否かを判断する。具体例としてはT_CRmaxHystの間に高速移動状態及び中速移動状態を検出したか否かを判断する。検出していない場合、ステップＳＴ１５０９へ遷移する。検出した場合、ステップＳＴ１５１１へ遷移する。ステップＳＴ１５０９にて通常移動状態へ遷移し、ステップＳＴ１５１０へ遷移する。ステップＳＴ１５１０にてサービングセルの測定値調整パラメータの移動端末の移動状態に応じた調整を解除する。その後ステップＳＴ１５１１へ遷移する。
【００６２】
ステップＳＴ１５１１にてセルランキングを行う。具体例としてはサービングセルの測定値に調整パラメータ（Q_Hyst）を加えた値と周辺セルの測定値から調整パラメータ（Q_offset）を減じた値を用いてサービングセル及び周辺セル(１つあるいは複数)の順位付けを行う。その後ステップＳＴ１５１２へ遷移する。ステップＳＴ１５１２にてセル再選択を行うか否かを判断する。具体例としてはある期間（T_reselection）、新しいセルがサービングセルより良く（あるいは上位に）順位付けされ、かつ、現在のサービングセルへキャンプオン（camped on）して１秒以上経過している場合はセル再選択を実行する。当該条件を満たさない場合はセル再選択を実行しない。
【００６３】
本実施の形態により以下の効果を得ることが出来る。本実施の形態により移動端末がＣＳＧセルの再選択を移動状態検出用には数えないことが実現可能となる。ＨｅＮＢが多く設置されるロケーションである図１３（ｂ）の場合であってもＨｅＮＢが多く設置がない図１３（ａ）同様に移動状態検出用の再選択回数を0回とすることができる。これにより、ＨｅＮＢが多く設置されるロケーションにて移動端末が通常の速度で移動したにも関わらず、セル再選択を繰り返すことにより移動状態検出用の再選択回数が増加し、移動端末の移動状態が高速と判断されることを防ぐことができる。移動端末の移動状態が高速と判断されると、セル再選択が容易に可能となるよう移動体通信システムが調整される状況下では、ますますセルの再選択が増加することになる。しかし本実施の形態ではＨｅＮＢが多く設置されるロケーションが原因での移動端末の移動状態が高速と判断される防ぐことができるので、この再選択による増加を防ぐことができる。セル再選択回数の増加を防ぐことは、移動端末が新たなセルの報知情報を受信する回数を減らすことに繋がる。よって、移動端末の消費電力削減という効果を得ることが出来る。また、非特許文献７に示すドップラ周波数測定を用いた方法であっても、実施の形態１の課題は解決できるとも考えられる。しかし、実施の形態１において以下の効果を得ることができる。現在の３ＧＰＰの議論において、移動端末の移動状態をセルの再選択回数をもって判断している。よって実施の形態１の方法を追加した場合であっても移動体通信システムの複雑性の増加は少ない。よって移動体通信システムの複雑性の増加という観点においては、非特許文献７の方法の実現と比較して有利であるという効果を有する。
【００６４】
次に、移動端末がセル再選択を行なう場合の移動状態パラメータ（T_CRmax，N_CR_H，N_CR_M，T_CRmaxHyst）の運用方法について説明する。移動状態パラメータとして、セル再選択前のサービングセルから通知された値を用いても良いし、セル再選択後に新たにサービングセルとなったセルから通知される値を用いても良い。その際、あわせて移動状態検出用のセルの再選択回数を数えるための再選択回数のカウント値をリセットしても良い。セル再選択後に新たにサービングセルとなったセルから通知される値を用いた場合、セル再選択前に通知された移動状態パラメータ値（例えばT_CRmax, T_CRmaxHyst）はリセットされることになるため、新たにサービングセルでの電波環境を即時に反映させることが可能となる効果が得られる。しかし、セル再選択前に通知された移動状態パラメータ値（例えばT_CRmax, T_CRmaxHyst）がリセットされることになるため、セルの再選択が高い頻度あるいは短い時間間隔で生じるような場合、リセットを繰返し行なうことになってしまうため、移動端末の実際の移動状態を検出できなくなってしまう、という問題が生じる。
【００６５】
この問題を解消するため以下の方法を開示する。セル再選択前のサービングセルから通知される移動状態パラメータ値とセル再選択後のサービングセルから通知される移動状態パラメータ値とが同じ場合は、セル再選択前のサービングセルからのパラメータ値（例えばT_CRmax, T_CRmaxHyst）はリセットされないようにする。セル再選択前のサービングセルから通知される移動状態パラメータ値とセル再選択後のサービングセルから通知される移動状態パラメータ値とが同じなのでどちらのパラメータ値を用いても良い。このように、パラメータ値をリセットされないようにすることで、セルの再選択が高い頻度あるいは短い時間間隔で生じるような場合にも、リセットを繰返し行なうことを無くすことができるため、移動端末の実際の移動状態を検出することが可能となる。セル再選択前のサービングセルから通知される移動状態パラメータ値とセル再選択後のサービングセルから通知される移動状態パラメータ値とが異なる場合は、セル再選択前のサービングセルから通知された移動状態パラメータ値を用いるようにすれば良い。こうすれば、パラメータ値がリセットされないようになるので、移動端末の実際の移動状態を検出できるようになる。
【００６６】
しかし、この場合、いつまでもある時点のサービングセルから通知された値を用いると、新たに選択したセルの電波環境とは全く異なる状況となってしまうことが考えられ、そのために移動端末の実際の移動状態を検出できなくなってしまうという問題が生じる。この問題を解消するため、セル再選択前（ある時点）のサービングセルから通知された移動状態パラメータ値を用いる時間を限定する。具体例として、タイマを設けても良い。また別の例として、例えばT_CRmax、T_CRmaxHystを該タイマとしても良い。セル再選択前のサービングセルから通知された該タイマがタイムアウトした際に、セル再選択前のサービングセルから通知された移動状態パラメータ値をリセットし、新たなセルから通知された移動状態パラメータ値を用いるようにすれば良い。その際、あわせて移動状態検出用のセルの再選択回数を数えるための再選択回数のカウント値をリセットしても良い。上記新たなセルとしては、該タイマがタイムアウトする以前で直近にセル再選択したセルとすれば良い。該タイマがタイムアウトした時点でのサービングセルとすれば良い。該タイマを設定することで、該タイマの期間、リセットされることなく移動端末の移動状態を検出することが可能となり、より正確な移動状態を検出することが可能となる。また、該タイマのタイムアウト後は、セル再選択後の新たなサービングセルからの移動状態検出パラメータを使用することが可能となるので、直近の電波環境が反映されることが可能となり、さらにより正確な移動端末の移動状況を検出することが可能となる。
【００６７】
該タイマとして、T_CRmaxあるいはT_CRmaxHystを用いることで、新たなパラメータを設けたり新たなパラメータをネットワークから移動端末に通知したりする必要がなくなるため、ネットワークや移動端末あるいはシステムとしての制御の複雑化を抑えることが可能となり、また、シグナリング容量の増大を抑え無駄な無線リソースの使用を抑えることが可能となる。T_CRmaxをセル再選択前のサービングセルから通知された移動状態パラメータ値を用いる時間を限定するためのタイマとして用いることで、移動端末の移動状態によらずにタイムアウトとなるまでタイマを使用することが可能となるため、移動端末の移動状態をより正確に検出可能となる。
【００６８】
本実施の形態（後述の変形例も含めて）でＣＳＧセルなどの再選択を移動状態検出用には数えないようにした場合、セル再選択前のサービングセルから通知された該タイマがタイムアウトした際に、それら移動状態検出用に数えないようにしたセルの移動状態パラメータを用いないようにしても良い。この場合、それら移動状態検出用に数えないようにしたセルを除いたセルで、該タイマがタイムアウトした時点でのサービングセルまたはタイムアウトする以前で直近にセル再選択したセルとすれば良い。こうすることで、移動端末の実際の移動状態を検出可能となり、セル再選択のますますの増加を防ぐことができる。セル再選択回数の増加を防ぐことは、移動端末が新たなセルの報知情報を受信する回数を減らすことに繋がる。よって、移動端末の消費電力削減という効果を得ることが出来る。
【００６９】
次に、第一の変形例を説明する。上記実施例に係る方法を用いた場合、以下の課題が発生する。マクロセルをＣＳＧセルとして運用した場合を考える。マクロセルをＣＳＧセルとして運用しているロケーションにて実際に移動端末が高速で移動していた場合を考える。移動端末が再選択を実行した場合であっても図１４のステップＳＴ１４１１にて再選択したセルがＣＳＧセルであると判断されるので、ステップＳＴ１４１２へは遷移せずに、ステップＳＴ１４０３へ遷移する。これにより、図１４のステップＳＴ１４１２で行われる移動状態検出用の再選択回数のカウント値が増えないことになる。図１５のステップＳＴ１５０２、あるいはステップＳＴ１５０３にて中速用閾値、あるいは高速用閾値を超えたと判断されなくなる。これにより、図１５のステップＳＴ１５１０にてサービングセルの測定値調整パラメータの速度に応じた調整の解除が行われる。よって移動端末の高速移動時のスムーズなセル再選択を実現するために、移動端末の移動状態が高速移動状態、あるいは中速移動状態であれば、セルの再選択を容易にするようパラメータを調整することが不可能になるという問題が発生する。
【００７０】
第一の変形例での解決策を以下に示す。移動端末がＣＳＧセルの再選択を移動状態検出用に「数える」「数えない」を切替えることを開示する。具体例についてＬＴＥシステムを用いて以下説明する。ネットワーク側が移動端末に対して、ＣＳＧセルの再選択を移動状態検出用に「数える」「数えない」を切替え可能とする。基地局から切換え情報を通知する。切換え情報の具体例を以下に示す。切換え情報として例えば「１（例えばＯＮ）」となっていれば、当該再選択を移動状態検出用に数えることを指示する。ここで、「１（例えばＯＮ）」となっていれば、当該セルがＣＳＧセルか否かに関わらず、当該再選択を移動状態検出用に数えることを指示するとしても良い。また「０（例えばＯＦＦ）」となっていれば、当該セルがＣＳＧセルか否かで、当該再選択を移動状態検出用に数えるか否かを判断することを指示する。つまり実施の形態１の方法を用いることを指示する。ここで、「０（例えばＯＦＦ）」となっていれば、当該セルがＣＳＧセルか否かに関わらず、当該再選択を移動状態検出用に数えないことを指示するとしても良い。ここでは切換え情報が１ビットである場合について示したが複数のビットであっても良い。また、ＯＮ、ＯＦＦの両方を通知するようにしても良いし、ＯＮ時のみ通知し切換え情報の通知がない場合はＯＦＦを示すとしても良いし、反対にＯＦＦ時のみ通知し切換え情報の通知が無い場合はＯＮを示すとしても良い。
【００７１】
切換え情報の通知方法を以下に示す。基地局の報知情報として傘下の移動端末に対して通知する。ＣＳＧセルとして運用されるマクロセルの報知情報としてのみ傘下の移動端末に対して通知するようにしても良い。これによりＣＳＧセルとして運用されない通常のマクロセルの報知情報の情報量の増加を防ぐことができる。これにより無線リソースの有効活用という効果を得ることができる。報知情報中の既存のＭＩＢ（Master Information Block）（非特許文献８）の情報要素として切換え情報を新規に追加する。例えばＬＴＥ方式の通信システムにおいては、ＭＩＢはＰＢＣＨにマッピングされることからサーチ動作の初期段階で受信することが可能となる(具体例としては図１２のステップＳＴ１２０４)。よって、ＭＩＢ情報に切換え情報をマッピングすることにより制御遅延防止、消費電力低減の効果を得ることができる。
報知情報ＢＣＣＨの中の既存のＳＩＢ（System Information Block）（非特許文献８）の情報要素として切換え情報を新規に追加する。例としてＳＩＢ１の情報要素として切換え情報を新規に追加する。ＳＩＢ１に切換え情報をマッピングした場合、以下の効果を得ることが出来る。例えばＬＴＥ方式の通信システムにおいては、ＳＩＢ１はサーチの初期段階で受信することが可能となる(具体例としては図１２のステップＳＴ１２０５)。
【００７２】
よってＳＩＢ１に切換え情報をマッピングすることにより制御遅延防止、消費電力低減の効果を得ることができる。また、実施の形態１で示したＣＳＧセルか否かを判断する方法としてＣＳＧインジケータ、あるいはＣＳＧ−ＩＤ（CSG identity）を用いた場合、ＣＳＧインジケータ、ＣＳＧ−ＩＤ（CSG identity）はＳＩＢ１にマッピングされる方向であるので、移動端末の移動状態を判断するためのパラメータが同じブロックにマッピングされることとなる。このことは、移動端末の移動状態を判断するためのパラメータが同じシステム情報の受信にて得ることが可能となる。よって移動体通信システムの複雑性回避、制御遅延防止という効果を得ることが出来る。また別の例として、ＳＩＢ２の情報要素として切換え情報を新規に追加する。ＳＩＢ２に切換え情報をマッピングした場合、以下の効果を得ることが出来る。現在の３ＧＰＰでは、ＳＩＢ２には傘下の全ての移動端末共通の無線リソースの設定がマッピングされる方向である。全ての移動端末共通の情報ある切換え情報が、同様のパラメータが含まれるＳＩＢ２へ追加されることは、同様のパラメータを同じシステム情報の受信にて得ることが可能となる。よって移動体通信システムの複雑性回避、制御遅延防止という効果を得ることが出来る。
【００７３】
また別の例として、ＳＩＢ３の情報要素として切換え情報を新規に追加する。ＳＩＢ３に切換え情報をマッピングした場合、以下の効果を得ることが出来る。現在の３ＧＰＰでは、ＳＩＢ３には、セル再選択共通の設定がマッピングされる方向である。セル再選択共通の情報ある切換え情報が、同様のパラメータが含まれるＳＩＢ３へ追加されることは、同様のパラメータを同じシステム情報の受信にて得ることが可能となる。よって移動体通信システムの複雑性回避、制御遅延防止という効果を得ることが出来る。また別の例として、ＳＩＢ９の情報要素として切換え情報を新規に追加する。ＳＩＢ９にマッピングした場合、以下の効果を得ることが出来る。現在の３ＧＰＰでは、ＳＩＢ９にはＨｅＮＢの識別子（a home eNB identifier (HNBID)）がマッピングされる方向である。このような状況下において、移動端末がＨｅＮＢに関する情報を得るという処理にて用いるパラメータを、移動端末が同じシステム情報の受信にて得ることが可能となり、移動端末の動作の複雑性回避、制御遅延防止という効果を得ることが出来る。
【００７４】
また、切換え情報を、ロジカルチャネルである共有制御チャネル（CCCH）、あるいは個別制御チャネル（DCCH）、あるいはマルチキャスト制御チャネル(MCCH)、あるいはマルチキャストトラフィックチャネル（MTCH）にマッピングし、さらにトランスポートチャネルである下り共有チャネル（DL-SCH）、物理チャネルである物理下り共有チャネル（PDSCH）にマッピングし移動端末に通知してもよい。報知情報は周期的に報知される情報である。よって無線リソースの有効活用という観点において、報知情報の情報量の削減が重要な課題となっている。よって、下り共有チャネルを用いて切換え情報を通知する場合、報知情報の情報量を増やすことなく切換え情報を移動端末へ通知することが可能となり、無線リソースの有効活用という効果を得ることが出来る。
【００７５】
図１６に動作の一例を示す。具体例としてＬＴＥシステムについて説明する。図１６において図１４と同じ番号のステップは同一または相当する処理を実行するので、同じステップ番号の箇所の説明は省略する。また図１５に示す処理は実施の形態１の変形例１でも同様であるので説明は省略する。ステップＳＴ１６０１にて再選択された基地局は切換え情報を傘下の移動端末へ通知する。ステップＳＴ１６０２にて移動端末は、再選択された基地局、つまりサービングセルより切換え情報を受信する。ステップＳＴ１６０３にて移動端末は、ステップＳＴ１６０２にて受信した切換え情報にて、当該セルの再選択を移動状態検出用に数えるか否かを判断する。例えば、切換え情報にてＯＮが示され当該再選択を移動状態検出用に数えることが指示されていれば、ステップＳＴ１４１２へ遷移する。例えば、切換え情報にてＯＦＦが示され当該セルがＣＳＧセルか否かで、当該再選択を移動状態検出用に数えるか否かを判断することが指示されていれば、ステップＳＴ１４１１へ遷移する。
【００７６】
本変形例により以下の効果を得ることが出来る。実施の形態１と同様の効果に加えて以下の効果を得ることが出来る。マクロセルをＣＳＧセルとして運用した場合に、移動端末が実際に高速に移動した場合であってもスムーズなセル再選択を実現するために、セルの再選択を容易にするようパラメータを調整することが可能になるという効果を有する。
【００７７】
次に第二の変形例について説明する。上記実施例に係る方法を用いた場合、以下の課題が発生する。ＨｅＮＢをクローズドアクセスモードではなく、オープンアクセスモードとして運用した場合を考える。図１３（ｂ）のようにＨｅＮＢが多く設置され、当該ＨｅＮＢをオープンアクセスモードとして運用しているロケーションを考える。移動端末が再選択を実行した場合、図１４のステップＳＴ１４１１にて再選択したセルがＣＳＧセルでないと判断させるので、ステップＳＴ１４１２へ遷移する。ステップＳＴ１４１２にて移動端末は、移動状態検出用のセルの再選択回数を数えるための再選択回数のカウント値に１を加える。よってこのような状況下では高速移動状態、あるいは中速移動状態と判断される確率が高くなる。このようにＨｅＮＢが多く設置され、当該ＨｅＮＢをオープンアクセスモードとして運用しているロケーションでは、実施の形態１で示した課題が再度発生する。
【００７８】
変形例２での解決策を以下に示す。移動端末がＨｅＮＢの再選択を移動状態検出用には数えないことを開示する。具体例についてＬＴＥシステムを用いて以下説明する。移動端末が再選択したセル（あるいは再選択しようとするセル）がＨｅＮＢか否かを判断する方法の具体例について以下に示す。ＨｅＮＢであるか否か、当該セルがＨｅＮＢであるか否かの情報を用いて判断する。具体例として、ＳＩＢ９の情報を用いて判断する。現在の３ＧＰＰでは、ＳＩＢ９にはＨｅＮＢの識別子（a home eNB identifier (HNBID)）がマッピングされる方向である（非特許文献８）。ＨｅＮＢの識別子がマッピングされていれば、当該セルはＨｅＮＢと判断できる。一方、ＨｅＮＢの識別子がマッピングされていなければ、当該セルはＨｅＮＢでないと判断できる。ＨｅＮＢであるか否かＨｅＮＢの識別子を用いて判断することは、追加の情報が不要となり、無線リソースの有効活用という効果を得ることが出来る。
【００７９】
図１７に動作の一例を示す。具体例としてＬＴＥシステムについて説明する。図１７において図１４と同じ番号のステップは同一または相当する処理を実行するので、同じステップ番号の箇所の説明は省略する。また図１５に示す処理は変形例２でも同様であるので説明は省略する。ステップＳＴ１７０１にて再選択された基地局は、システム情報を傘下の移動端末へ報知する。ステップＳＴ１７０２にて移動端末は再選択された基地局、つまりサービングセルよりシステム情報を受信する。ステップＳＴ１７０３にて移動端末は、再選択したセルがＨｅＮＢであるか否かを判断する。当該判断の具体例としては、ステップＳＴ１７０２にて受信したシステム情報を用いる。具体例としてはシステム情報中にＨｅＮＢの識別子がマッピングされていれば、当該セルはＨｅＮＢと判断し、ＨｅＮＢの識別子がマッピングされていなければ当該セルがＨｅＮＢでないと判断する。ＨｅＮＢであると判断した場合、ステップＳＴ１４０３へ戻る。ＨｅＮＢでないと判断した場合、ステップＳＴ１４１２へ遷移する。また、システム情報中にＳＩＢ９が存在すれば当該セルはＨｅＮＢと判断し、システム情報中にＳＩＢ９が存在しなければ当該セルがＨｅＮＢでないと判断しても良い。
【００８０】
本変形例により以下の効果を得ることが出来る。ＨｅＮＢをクローズドアクセスモードではなく、オープンアクセスモードとして運用する場合であっても、実施の形態１と同様の効果を得ることが出来る。なお、上記説明の第一の変形例と第二の変形例は組み合わせて用いることが出来る。
【００８１】
次に上記実施例の第三の変形例について説明する。本変形例では、実施の形態１と同様の課題に対して別の解決策を開示する。移動端末が半径の小さいセルへの再選択を移動状態検出用には数えないことを開示する。具体例についてＬＴＥシステムを用いて以下説明する。移動端末が再選択したセル（あるいは再選択しようとするセル）の半径が小さいか否かを判断する方法の具体例について以下に示す。基地局から半径情報を通知し、移動端末は受信した半径情報を基に再選択したセルの半径が小さいか否かを判断する。半径情報の具体例を以下に示す。実際の半径の長さ、半径が小さいセルと判断される閾値（具体例としては、半径の長さ＜閾値Ａを満たせば半径が小さいセルと判断されるなど）、半径が中間セルと判断される閾値（具体例としては、閾値Ａ≦半径の長さ＜閾値Ｂを満たせば半径が中間のセルと判断されるなど）、半径が大きいセルと判断される閾値（具体例としては、半径の長さ≧閾値Ｂを満たせば半径が大きいセルと判断されるなど）などを通知する。閾値はこれに限らずひとつであっても良いし複数であっても良い。また、閾値は静的であっても良い。閾値を静的にすることにより基地局からの通知が不要となり、無線リソースの有効活用という効果を得ることが出来る。実際の半径の長さではなく、半径の識別情報を通知する。半径の識別情報の具体例としては、「小」「中」「大」などである。セルを半径によってグループ（例えば、小、中、大）に分け、セルがどのグループに属するかを示す情報である。識別情報が３種類であれば、２ビットで通知可能となる。よって実際の半径の長さではなく、半径の識別情報を通知することにより、情報量が大幅に削減可能となり無線リソースの有効活用という効果を得ることが出来る。ここでは、半径を３つのグループ（小、中、大）に分ける例について説明したが、２つのグループ（例えば小、大）であっても良いし、４つ以上のグループであっても良い。半径情報の通知方法は実施の形態１の変形例１の切換え情報と同じ方法を用いることができる。よって詳細な説明は省略する。
【００８２】
図１８に動作の一例を示す。具体例としてＬＴＥシステムについて説明する。図１８において図１４と同じ番号のステップは同一または相当する処理を実行するので、同じステップ番号の箇所の説明は省略する。また図１５に示す処理は第三の変形例でも同様であるので説明は省略する。ステップＳＴ１８０１にて再選択された基地局は、半径情報を傘下の移動端末へ報知する。ステップＳＴ１８０２にて移動端末は再選択された基地局、つまりサービングセルより半径情報を受信する。ステップＳＴ１８０３にて移動端末は、再選択したセルの半径が小さいか否かを判断する。当該判断の具体例としては、ステップＳＴ１８０２にて受信した半径情報を用いる。半径情報を用いて半径が小さいか否かの判断手法は上記の通りである。半径が小さいと判断した場合、ステップＳＴ１４０３へ戻る。半径が小さくないと判断した場合、ステップＳＴ１４１２へ遷移する。
【００８３】
本変形例により以下の効果を得ることが出来る。実施の形態１及びその第一の変形例、第二の変形例の課題を一度に解決できるという効果を得ることができる。
【００８４】
実施の形態１で開示した方法では、移動端末がＣＳＧセルの再選択を移動状態検出用には数えないとしたが、ｎｏｎ−ＣＳＧセルへの再選択とＣＳＧセル用(ＨｅＮＢ用であっても良い、半径の小さいセルであっても良い)への再選択を別途数えてもよい。ｎｏｎ−ＣＳＧセルへの再選択回数とＣＳＧセル用(ＨｅＮＢ用であっても良い、半径の小さいセルであっても良い)への再選択回数をそれぞれ数え、一つの値を導出するための計算式を設け、該計算式にそれぞれのセルの再選択回数を入力することによって、一つの値を導出するようにしても良い。計算式の具体例として、Ｎａ＝Ｎ１＋ｒ＊Ｎ２  としても良い。Ｎ１はｎｏｎ−ＣＳＧセルへの再選択回数、Ｎ２はＣＳＧセル用(ＨｅＮＢ用であっても良い、半径の小さいセルであっても良い)への再選択回数、ｒは調整係数、Ｎａは導出される一つの値である。ｒはＣＳＧセルとｎｏｎ−ＣＳＧセルの半径の違いを調整するための調整係数である。ＣＳＧセルは半径がｎｏｎ−ＣＳＧセルに比較して小さいので、移動端末が同じ速度で移動していたとしても、セル再選択回数は増大することが推測される。従って、調整係数ｒを設け、Ｎ２にｒを乗じることによってＮ２の値を調整する。例えばｎｏｎ−ＣＳＧセルの半径は数ｋｍ、ＣＳＧセルの半径は数１０ｍが想定される。従って半径の違いを調整するためのｒを例えばＣＳＧセル半径とｎｏｎ−ＣＳＧセル半径の比として、０．０１とすると良い。ｒはあらかじめ決められていても良いし、ネットワークから移動端末に通知されても良い。ネットワークから移動端末への通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。計算式はあらかじめ決めておくと良い。通知が不要となり無線リソースの有効活用という効果が得られるからである。
【００８５】
ｎｏｎ−ＣＳＧセルのセル再選択回数と、ＣＳＧセルのセル再選択回数(ＨｅＮＢ用であっても良い、半径の小さいセルであっても良い)とを個別に数え、該二つの回数を用いて導出した一つの値Ｎａを用いて移動状態の検出を行なうようにする。具体的には、サービングセルより通知された移動状態パラメータを用いて行えば良い。例えば、図１４のＳＴ１４１１とＳＴ１４１２を変更すれば良い。ＳＴ１４１１で再選択したセルがＣＳＧセルかどうか判断し、Ｙｅｓであれば、ＣＳＧの再選択回数のカウント値を１増やしてＳＴ１１４１２に移行する。また、ＳＴ１４１１で再選択したセルがＣＳＧセルかどうか判断し、Ｎｏであれば、ｎｏｎ−ＣＳＧの再選択回数のカウント値を１増やしてＳＴ１４１２に移行する。ＳＴ１４１２で二つのカウント値およびｒを上記計算式に入力しＮａを導出する。なお、ｒはあらかじめ決められているか、あるいは、あらかじめネットワークから移動端末に通知される。導出したＮａをもとに、ＳＴ１４０３でセルの再選択を行なうか決定するようにする。
【００８６】
このように、ＣＳＧセルのセル再選択回数を数えることで、例えば多数のＣＳＧセルが孤立している状況に移動端末がいるような場合にも、移動端末の移動速度を検出することが可能となる。また、ｎｏｎ−ＣＳＧセル内に多数のＣＳＧセルが配置され、移動端末がｎｏｎ−ＣＳＧセル内で該多数のＣＳＧセル間を移動しているような場合にも、移動端末の移動速度を検出することが可能となる。
【００８７】
移動状態パラメータをＣＳＧセル用とｎｏｎ−ＣＳＧセル用(ＨｅＮＢ用であっても良い、半径の小さいセルであっても良い)とで別途有しても良い。上記では、ｎｏｎ−ＣＳＧセルとＣＳＧセルのセル再選択回数を別途数えることを開示した。ｎｏｎ−ＣＳＧセルのセル再選択回数からの移動状態の検出にはｎｏｎ−ＣＳＧセル用の移動状態パラメータを用い、ＣＳＧセルのセル再選択回数からの移動状態の検出にはＣＳＧセル用の移動状態パラメータを用いるようにする。具体例として、ｎｏｎ−ＣＳＧセル用の移動状態パラメータを（T_CRmax_nC，N_CR_H_nC，N_CR_M_nC，T_CRmaxHyst_nC）、ＣＳＧセル用の移動状態パラメータを（T_CRmax_C，N_CR_H_C，N_CR_M_C，T_CRmaxHyst_C）とする。こうすることで、ＣＳＧセルとｎｏｎ−ＣＳＧセルの半径の違いによる移動状態検出誤差を少なくすることが可能となる。また、必要性に応じて移動状態パラメータのうちひとつあるいは複数を別途持つようにしても良い。一部を共有化することで無線リソースの有効活用、及び移動端末の処理軽減という効果を得ることが出来る。移動端末へｎｏｎ−ＣＳＧセル用の移動状態パラメータとＣＳＧセル用の移動状態パラメータを通知する方法としては、該両方のパラメータを一つのセル（サービングセル）を介してネットワークから移動端末に通知する方法がある。
【００８８】
また別の方法として、一つのセル（サービングセル）を介して一組の移動状態パラメータのみをネットワークから移動端末へ通知するようにしておき、ｎｏｎ−ＣＳＧセルからはｎｏｎ−ＣＳＧセル用の移動状態パラメータを通知し、ＣＳＧセルからはＣＳＧセル用の移動状態パラメータを通知する方法がある。この方法の場合、一つのセルを介してネットワークから移動端末に通知する移動状態パラメータは一組となるため、シグナリング量や移動端末の処理量を従来から増加させること無く、より正確な移動端末の移動状況検出を行なうことが可能となる効果が得られる。通知される一つのパラメータ名称はひとつとしておいても良い。その場合、どのセルから通知されたかによって、どちらのパラメータか判定するようにすれば良い。ＣＳＧセルはＣＳＧ−ＩＤでグループ分けできるが、同じＣＳＧ−ＩＤのＣＳＧセルは同じ移動状態パラメータを通知するようにしても良い。これにより、設置状況、例えば一つの会社内で同じＣＳＧ−ＩＤを用いる場合など、に柔軟に対応可能となる効果が得られる。
【００８９】
移動端末の移動状態検出用に、再選択前のセルがｎｏｎ−ＣＳＧセルであれば、ｎｏｎ−ＣＳＧセル用の移動状態パラメータを用い、再選択前のセルがＣＳＧセルであればＣＳＧセル用の移動状態パラメータを用いる。ｎｏｎ−ＣＳＧセルとＣＳＧセルの再選択回数を別途数えるようにしておき、再選択前のセルがｎｏｎ−ＣＳＧセルであればｎｏｎ−ＣＳＧセル用の移動状態パラメータとｎｏｎ−ＣＳＧセルの再選択回数とから移動状態検出を行なう。再選択前のセルがＣＳＧセルであればＣＳＧセル用の移動状態パラメータとＣＳＧセルの再選択回数とから移動状態検出を行う。上記のように検出した二つの移動状態から、より移動端末の移動状態に近い方を一つ選択する。より移動端末の移動状態に近い方としてどちらを選択するかは、あらかじめ決められていても良いし、ネットワークから移動端末に通知されても良い。例えば、検出した二つの移動状態のうち、速度が早いほうをより移動端末の移動状態に近いとして選択するようにしておく、などである。選択した一つの移動状態により、セルの再選択判断を行なうようにする。こうすることで、移動端末の移動状態をより正確に検出することが可能となる効果が得られる。上記では、検出した二つの移動状態から、より移動端末の移動状態に近い方を一つ選択することを開示した。しかし、例えば、一つ選択した移動状態がＣＳＧセルの再選択回数をもとにしたものであり、セル再選択する時点でのサービングセルがｎｏｎ−ＣＳＧセルである状況の場合、ＣＳＧセルから導出したスケーリングファクタをｎｏｎ−ＣＧＳセルからのセル再選択判断に用いてしまうことになる。このような場合、セル再選択が移動端末の実際の移動状況によって正確に行なわれなくなってしまう可能性が生じる問題がある。この問題を解消するため、以下の方法を開示する。
【００９０】
移動端末の移動状態検出用に、再選択前のセルがｎｏｎ−ＣＳＧセルであれば、ｎｏｎ−ＣＳＧセル用の移動状態パラメータを用い、再選択前のＣＳＧセルであればＣＳＧセル用の移動状態パラメータを用いる。ｎｏｎ−ＣＳＧセルとＣＳＧセルの再選択回数を別途数えるようにしておき、再選択前のセルがｎｏｎ−ＣＳＧセルであればｎｏｎ−ＣＳＧセル用の移動状態パラメータとｎｏｎ−ＣＳＧセルの再選択回数とから移動状態検出を行ない、ｎｏｎ−ＣＳＧセルからの再選択判定を行なう。再選択前のセルがＣＳＧセルであればＣＳＧセル用の移動状態パラメータとＣＳＧセルの再選択回数とから移動状態検出を行ない、ＣＳＧセルからの再選択判定を行なう。すなわち、ｎｏｎ−ＣＳＧセルのセル再選択動作とＣＳＧセルのセル再選択動作が並行して行なわれることになる。ＨｅＮＢ／ＨＮＢはマクロセルのカバレッジ外での通信を補完するためだけでなく、さまざまなサービスへの対応が求められる。またＨｅＮＢ／ＨＮＢが数多く設置される場合も生じる。また、ＨｅＮＢ／ＨＮＢのセル半径はマクロセルのセル半径と比較して小さいことが予想される。このように移動体通信システムとして基地局の配置に様々なバリエーションが考えられる。上記に開示した方法により、このような状況下において、non-CSGセルの再選択動作とCSGセルの再選択動作を並行して行なうことが可能となる。これにより、移動体通信システムが柔軟な制御が可能となる効果を得ることが出来る。
【００９１】
上記に開示した方法にも実施の形態１で開示した、移動状態パラメータの運用方法は適用可能である。セル再選択前のサービングセルから通知される移動状態パラメータ値とセル再選択後のサービングセルから通知される移動状態パラメータ値とが異なる場合、セル再選択前のサービングセルから通知された移動状態パラメータ値を用い、セル再選択前（ある時点）のサービングセルから通知された移動状態パラメータ値を用いる時間を限定する方法を開示した。この場合、タイマがタイムアウトした時点のサービングセルがｎｏｎ−ＣＳＧセルであった場合、ｎｏｎ−ＣＳＧセル用の再選択動作には新たに選択したｎｏｎ−ＣＳＧセルの移動状態パラメータを使用すれば良いし、ＣＳＧセル用の再選択動作には直近に選択したＣＳＧセルの移動状態パラメータを使用すれば良い。一方、タイマがタイムアウトした時点のサービングセルがＣＳＧセルであった場合、ｎｏｎ−ＣＳＧセル用の再選択動作には直近に選択したｎｏｎ−ＣＳＧセルの移動状態パラメータを使用すれば良いし、ＣＳＧセル用の再選択動作には新たに選択したＣＳＧセルの移動状態パラメータを使用すれば良い。こうすることで、将来のＣＳＧセルあるいはＨｅＮＢ／ＨＮＢが数多く設置される場合においても、セルの設置状況によらずに、直近の電波環境を反映させることが可能となり、さらにより正確な移動端末の移動状況を検出することが可能となる。
【００９２】
上記に開示した方法は、ＣＳＧセルとｎｏｎ−ＣＳＧセルの場合について記載したが、ＨｅＮＢｎ、半径が小さいセルにも適用可能である。また上記開示した方法は、変形例を含む実施の形態１にも適用可能である。
【００９３】
実施の形態２．
実施の形態２にて解決する課題について説明する。高速に移動する移動端末が半径の小さいセルを選択する場合、すぐにカバレッジ外となり、待受け中（Idle中）であれば再びセル再選択が発生することになる。また通話中であれば再びハンドオーバが発生することになる。セル再選択が繰り返されれば、移動端末が新たなセルの報知情報を受信する回数がセル再選択の増加分多く必要となり、移動端末の消費電力増大という問題が生じる。ハンドオーバが繰り返されれば、基地局と移動端末間の制御信号が増大し無線リソースの有効活用という問題、および移動体通信システムとしての制御遅延の増大という問題、および移動端末の消費電力増大という問題が生じる。
【００９４】
本実施の形態２での解決策を以下に示す。移動端末の移動状態に応じて、再選択（セル選択を含んでも良い）可能なセルを限定する、あるいはハンドオーバ可能なセルを限定する。具体例についてＬＴＥシステムを用いて以下説明する。セルを限定する方法の具体例を以下に示す。ＣＳＧセルか否かの情報を用いる。ＣＳＧセルか否かを判断する方法の具体例については実施の形態１で示した「ＣＳＧインジケータ」「ＣＳＧ−ＩＤ」などを用いることができる。追加の情報が不要となり、無線リソースの有効活用という効果を得ることが出来る。セルの限定動作の具体例を以下に示す。高速移動状態の移動端末は、ｎｏｎ−ＣＳＧセルと判断されたセルにのみセル再選択、あるいはセル選択、あるいはハンドオーバ可能とする。中速移動状態、通常移動状態の移動端末は、ＣＳＧセルあるいはｎｏｎ−ＣＳＧセルであってもセル再選択、あるいはセル選択、あるいはハンドオーバ可能とする。ここでは、移動状態を３つのグループ（高速、中速、通常）に分ける例について説明したが、２つのグループ（例えば高速、通常）であっても良いし、４つ以上のグループであっても良い。また、移動状態とCSGセルであるか否かの情報の組合せも上記具体例に限られない。移動端末の移動状態を検出する方法の具体例を以下に示す。現在３ＧＰＰで規格化が進められている移動端末のセルの再選択の回数を基にする方法、実施の形態１にて開示した方法、非特許文献７に示されるドップラ周波数測定を基にする方法、移動端末の位置情報を全地球測位システム（ＧＰＳ：Global Positioning System）を基にする方法などが適用できる。
【００９５】
図１９を用いて移動端末の移動状態に応じて、再選択可能なセルを限定する詳細動作の具体例について説明する。具体例としてＬＴＥシステムのセル再選択について説明する。図１９において図１２と同じ番号のステップは同一または相当する処理を実行するので、同じステップ番号の箇所の説明は省略する。ステップＳＴ１９０１にて移動端末は、セル再選択候補のセルが存在したか否かを判断する。セル再選択候補のセルが存在した場合、ステップＳＴ１９０２へ遷移する。セル再選択候補が存在しない場合ステップＳＴ１２０１へ戻る。セル再選択候補のセルとは、例えば以下の２つの条件を満たした場合、移動端末は新しいセルをセル再選択候補とする。（１）ある期間（T_reselection）、新しいセルがサービングセルより良く（あるいは上位に）順位付けされる。（２）現在のサービングセルへキャンプオン（camped on）して１秒以上経過している。ステップＳＴ１９０２にて移動端末は、セル再選択候補のセルの報知情報を受信する。例えば報知情報中のＳＩＢ１にＣＳＧインジケータ、ＣＳＧ−ＩＤがマッピングされている。
【００９６】
ステップＳＴ１９０３にて移動端末は、自移動端末の移動状態を判断する。移動状態が高速移動状態と判断すれば、ステップＳＴ１９０４へ遷移する。中速移動状態、または通常移動状態と判断すれば、ステップＳＴ１９０５へ遷移する。また移動状態パラメータとは別にセル限定用パラメータを新たに追加しても良い。具体例としては基地局からセル限定用パラメータ、例えばＮ＿ＣＲ＿ＣＳＧを通知する。セル限定用パラメータの通知方法は実施の形態１の変形例１の切換え情報と同じ方法を用いることができる。よって詳細な説明は省略する。動作の具体例としては、自移動端末のある期間（T_CRmaxであっても良いし、セル限定用パラメータ専用であっても良い）にセルの再選択（reselection）回数がセル限定用パラメータ（N_CR_CSG）を超えた場合は、セルの限定を行うべく、ステップＳＴ１９０４へ移行する。セルの再選択（reselection）回数がセル限定用パラメータ（N_CR_CSG）を超えない場合は、セルの限定を行わないように、ステップＳＴ１９０５へ移行する。ＨｅＮＢ／ＨＮＢはマクロセルのカバレッジ外での通信を補完するためだけでなく、さまざまなサービスへの対応が求められる。またＨｅＮＢ／ＨＮＢが数多く設置される場合も生じる。
【００９７】
また、ＨｅＮＢ／ＨＮＢのセル半径はマクロセルのセル半径と比較して小さいことが予想される。このように移動体通信システムとして基地局の配置に様々なバリエーションが考えられる。このような状況下において、このようにセル限定用パラメータを新たに追加することにより、移動体通信システムが柔軟な制御が可能となる効果を得ることが出来る。また具体例として移動端末の移動速度が時速３０ｋｍを超えた場合（３０ｋｍ以上であっても良い）、セルの限定を行うべく、ステップＳＴ１９０４へ移行する。移動端末の移動速度が時速３０ｋｍを以下の場合（３０ｋｍ未満であっても良い）セルの限定を行わないように、ステップＳＴ１９０５へ移行する。非特許文献９に示すようにＨｅＮＢ（ＨＮＢ）がの要求仕様として時速３０ｋｍで移動する移動端末をサポートすることが３ＧＰＰにて議論されている。よってＨｅＮＢによっては時速３０ｋｍを超える高速で移動している移動端末のサポートがされない、つまり通信不可能な場合が考えられる。このような状況下において、移動端末の移動速度が時速３０ｋｍを超えるか否かでセル限定を行うか否かを判断することは、高速移動中の移動端末をサポートしていないＨｅＮＢに移動端末がセル再選択などをすることにより通信不可能となることを防ぐという効果を得ることができる。ここで判断に用いる時速は３０ｋｍに限らない。
【００９８】
ステップＳＴ１９０４にて移動端末は、再選択候補のセルがＣＳＧセルであるか否かを判断する。当該判断の具体例は、ステップＳＴ１９０２にて受信した報知情報中のＣＳＧインジケータを用いる。具体例としてはＣＳＧインジケータが「ＴＲＵＥ」を示していれば当該セルがＣＳＧセルであると判断し、「ＴＲＵＥ」を示していなければ当該セルがＣＳＧセルでないと判断する。また別の当該判断の具体例は、ステップＳＴ１９０２にて受信した報知情報中にＣＳＧ−ＩＤが含まれていれば、当該セルはＣＳＧセルと判断できる。一方、報知情報中にＣＳＧ−ＩＤが含まれていなければ、当該セルはＣＳＧセルでないと判断できる。ＣＳＧセルであると判断した場合、ステップＳＴ１２０１へ戻る。ＣＳＧセルでないと判断した場合、ステップＳＴ１９０５へ遷移する。ステップＳＴ１９０５にて移動端末は、当該再選択候補のセルを再選択する。セル選択の場合の動作、ハンドオーバ先を移動端末側にて判断する場合の動作も図１９と同一または相当する処理となるので説明は省略する。
【００９９】
本実施の形態により以下の効果を得ることが出来る。移動端末が例えば高速移動状態ではＣＳＧセルを再選択、あるいはセル選択、あるいはハンドオーバしなくなる。具体例を用いて説明する。図２０に示すようにマクロセル２００１のカバレッジ内にＣＳＧセル（2002,2003,2004）が数多く設置されているロケーションにて、移動端末２００５が矢印に示すとおり、高速で移動している場合を考える。この場合、実施の形態２を用いなければＣＳＧセル２００２、ＣＳＧセル２００３、ＣＳＧセル２００４と再選択、あるいはハンドオーバを繰り返すこととなる。これにより実施の形態２の課題で示したとおり、移動端末の消費電力増大などの問題が発生する。一方実施の形態２を用いることにより、このような場合であっても、図１９のステップＳＴ１９０４にてＣＳＧセル２００３、ＣＳＧセル２００４はＣＳＧセルと判断されるため、移動端末２００５はＣＳＧセル２００３、ＣＳＧセル２００４へのセル再選択、あるいはハンドオーバは行われない。これにより移動端末２００５は、例えばマクロセル２００１へ再選択、あるいはハンドオーバを行うことになる。このように実施の形態２を用いることにより、セルの再選択の繰り返しを防ぐことが可能となり、移動端末の消費電力の削減という効果を得ることが出来る。またハンドオーバの繰り返しを防ぐことが可能となり、無線リソースの有効活用、移動体通信システムとしての制御遅延の削減、移動端末の消費電力の削減という効果を得ることが出来る。
【０１００】
次に上記実施例に係る第一の変形例を説明する。本変形例では、実施の形態２と同様の課題に対して別の解決策を開示する。本変形例での解決策を以下に示す。実施の形態２同様、移動端末の移動状態に応じて、再選択（セル選択を含んでも良い）可能なセルを限定する、あるいはハンドオーバ可能なセルを限定する。具体例についてＬＴＥシステムを用いて以下説明する。セルを限定する方法の具体例を以下に示す。ＣＳＧセルか否かの情報を用いる。ＣＳＧセルか否かを判断する方法の具体例については実施の形態１で示した「ＰＣＩスプリット情報を用いることができる。追加の情報が不要となり、無線リソースの有効活用という効果を得ることが出来る。セルの限定動作の具体例、移動端末の移動状態を検出する方法の具体例については実施の形態２と同様であるので、説明を省略する。
【０１０１】
図２１を用いて移動端末の移動状態に応じて、再選択可能なセルを限定する詳細動作の具体例について説明する。具体例としてＬＴＥシステムのセル再選択について説明する。図２１において図１２、図１９と同じ番号のステップは同一または相当する処理を実行するので、同じステップ番号の箇所の説明は省略する。ステップＳＴ２１０１にて、移動端末はＰＣＩスプリット情報(ＣＳＧセルのために予約されたＰＣＩのセット(１つあるいは複数のＰＣＩ)として、CSG PCIレンジ（CSG PCI Range）と称されることもある)を有するか否か判断する。現在の３ＧＰＰの議論ではＰＣＩスプリット情報は、ＣＳＧセルの報知情報のうちＳＩＢ４にマッピングされることとなっている。また、ｎｏｎ−ＣＳＧセルからＰＣＩスプリット情報が報知されるか否かは、どちらでも良いことになっている。ＰＣＩスプリット情報を有する場合、ステップＳＴ２１０２へ移行する。ＰＣＩスプリット情報を有さない場合、ステップＳＴ１２０２へ移行する。ステップＳＴ２１０２にて移動端末は、自移動端末の移動状態を判断する。移動状態が高速移動状態と判断すれば、ステップＳＴ２１０３へ遷移する。中速移動状態、または通常移動状態と判断すれば、ステップＳＴ１２０２へ遷移する。ステップＳＴ２１０３にて移動端末は、当該セルがＣＳＧセルであるか否かを判断する。当該判断の具体例としては、ＰＣＩスプリット情報を用いて、ステップＳＴ１２０１にて検出したＰＣＩがＣＳＧセル用であるか否かを判断する。検出したＰＣＩがＣＳＧセル用であれば当該セルをＣＳＧセルであると判断し、ステップＳＴ１２０１へ戻る。検出したＰＣＩがＣＳＧセル用でなければ当該セルをｎｏｎ−ＣＳＧセルであると判断し、ステップＳＴ１２０２へ移行する。セル選択の場合の動作、ハンドオーバ先を移動端末側にて判断する場合の動作も図１９と同一または相当する処理となるので説明は省略する。
【０１０２】
本実施の形態により以下の効果を得ることが出来る。実施の形態２と同様の効果に加えて以下の効果を得ることが出来る。高速移動状態の移動端末は、ＰＣＩスプリット情報を得ていれば、ＰＣＩの検出の段階（図１２のステップＳＴ１２０１、図２１のステップ１２０１）というサーチ動作の速い段階で、ＣＳＧセルのセル再選択動作、セル選択動作、及びハンドオーバ動作を中止することが可能となる。これにより、高速移動状態の移動端末のサーチ動作の無駄、具体的にはセル再選択候補、セル選択候補、ハンドオーバ先候補セルがＣＳＧセルであった場合のサーチ動作（図１９のステップＳＴ１２０２、ステップＳＴ１２０３、ステップＳＴ１９０１など）の無駄を削減できる。このことは、移動端末の消費電力の削減という効果、制御遅延の防止という効果を得ることが出来る。
【０１０３】
次に上記実施例に係る第二の変形例について説明する。実施の形態２の方法を用いた場合、以下の課題が発生する。マクロセルをＣＳＧセルとして運用した場合を考える。マクロセルをＣＳＧセルとして運用しているロケーションにて実際に移動端末が高速で移動していた場合を考える。当該セルはマクロセルであるので、高速移動状態の移動端末がセル再選択、あるいはセル選択、あるいはハンドオーバを行っても実施の形態２に示す課題が発生することは無い。反対に実施の形態２の方法を用いて、当該マクロセルをＣＳＧセルであるという理由により、セル再選択先、あるいはセル選択先、あるいはハンドオーバ先から除外することにより、当該移動端末が圏外、つまり通信不可能となるという問題が発生する。
【０１０４】
第二の変形例での解決策を以下に示す。ネットワーク側が移動端末に対して、再選択（セル選択を含んでも良い）可能なセルを限定する、あるいはハンドオーバ可能なセルを限定することを切替え可能とする。基地局から切換え情報を通知する。具体例についてＬＴＥシステムを用いて以下説明する。切換え情報の具体例を以下に示す。切換え情報として例えば「１（例えばＯＮ）」となっていれば、セルの限定を行うことを指示する。また「０（例えばＯＦＦ）」となっていれば、セルの限定を行わないこと（限定の解除）を指示する。ここでは切換え情報が１ビットである場合について示したが複数のビットであっても良い。また、ＯＮ、ＯＦＦの両方を通知するようにしても良いし、ＯＮ時のみ通知し切換え情報の通知がない場合はＯＦＦを示すとしても良いし、反対にＯＦＦ時のみ通知し切換え情報の通知が無い場合はＯＮを示すとしても良い。切換え情報の通知方法は実施の形態１の変形例１の切換え情報と同じ方法を用いることができる。よって詳細な説明は省略する。
【０１０５】
図２２に動作の一例を示す。具体例としてLTEシステムについて説明する。図２２において図１２、図１９と同じ番号のステップは同一または相当する処理を実行するので、同じステップ番号の箇所の説明は省略する。ステップＳＴ２２０１にて移動端末は、セル再選択候補セルから受信した切換え情報にて、セルの限定を行うか否かを判断する。例えば、切換え情報にてＯＮが示されセルの限定を行うことを指示されていれば、ステップＳＴ１９０３へ遷移する。例えば、切換え情報にてＯＦＦが示されセルの限定を行わないことを指示されていれば、ステップＳＴ１９０５へ遷移する。セル選択の場合の動作、ハンドオーバ先を移動端末側にて判断する場合の動作も図２２と同一または相当する処理となるので説明は省略する。
【０１０６】
本変形例により以下の効果を得ることが出来る。実施の形態２と同様の効果に加えて以下の効果を得ることが出来る。マクロセルをＣＳＧセルとして運用した場合に、移動端末が実際に高速に移動した場合であっても当該マクロセルをセル再選択先、あるいはセル選択先、あるいはハンドオーバ先とすることができ、当該移動端末が通信不可能となることを防ぎ、スムーズな移動が実現可能となる効果を有する。
【０１０７】
次に上記実施例に係る第三の変形例について説明する。実施の形態２の方法を用いた場合、以下の課題が発生する。ＨｅＮＢをクローズドアクセスモードではなく、オープンアクセスモードとして運用した場合を考える。図２０のようにＨｅＮＢ（基地局2002、基地局2003、基地局2004）が多く設置され、当該ＨｅＮＢをオープンアクセスモードとして運用しているロケーションにて、実際に移動端末が高速で移動していた場合を考える。移動端末が再選択を実行した場合、図１９のステップＳＴ１９０４にて再選択したセルがＣＳＧセルでないと判断させるので、ステップＳＴ１９０５へ遷移する。ステップＳＴ１９０５にて移動端末は当該セル（オープンアクセスモードとして運用されているＨｅＮＢ）へのセル再選択を実行する。このようにＨｅＮＢが多く設置され、当該ＨｅＮＢをオープンアクセスモードとして運用しているロケーションでは、実施の形態２で示した課題が再度発生する。
【０１０８】
第三の変形例での解決策を以下に示す。移動端末の移動状態に応じて、再選択（セル選択を含んでも良い）可能なセルを限定する、あるいはハンドオーバ可能なセルを限定する。具体例についてＬＴＥシステムを用いて以下説明する。セルを限定する方法の具体例を以下に示す。ＨｅＮＢか否かの情報を用いる。ＨｅＮＢか否かを判断する方法の具体例については実施の形態１の変形例２で示したＨｅＮＢの識別子などを用いることができる。追加の情報が不要となり、無線リソースの有効活用という効果を得ることが出来る。セルの限定動作の具体例を以下に示す。高速移動状態の移動端末は、ＨｅＮＢではないと判断されたセルにのみセル再選択、あるいはセル選択、あるいはハンドオーバ可能とする。中速移動状態、通常移動状態の移動端末は、ＨｅＮＢあるいはＨｅＮＢではないセルであってもセル再選択、あるいはセル選択、あるいはハンドオーバ可能とする。ここでは、移動状態を３つのグループ（高速、中速、通常）に分ける例について説明したが、２つのグループ（例えば高速、通常）であっても良いし、４つ以上のグループであっても良い。また、移動状態とＨｅＮＢであるか否かの情報の組合せも上記具体例に限られない。移動端末の移動状態を検出する方法の具体例を以下に示す。現在３ＧＰＰで規格化が進められている移動端末のセルの再選択の回数を基にする方法、実施の形態１にて開示した方法、非特許文献７に示されるドップラ周波数測定を基にする方法、移動端末の位置情報を全地球測位システム（ＧＰＳ：Global Positioning System）を基にする方法などが適用できる。
【０１０９】
図２３を用いて移動端末の移動状態に応じて、再選択可能なセルを限定する詳細動作の具体例について説明する。具体例としてＬＴＥシステムのセル再選択について説明する。図２３において図１２、図１９と同じ番号のステップは同一または相当する処理を実行するので、同じステップ番号の箇所の説明は省略する。ステップＳＴ２３０１にて移動端末は、再選択したセルがＨｅＮＢであるか否かを判断する。当該判断の具体例としては、ステップＳＴ１９０２にて受信した報知情報を用いる。具体例としては報知情報中にＨｅＮＢの識別子がマッピングされていれば、当該セルはＨｅＮＢと判断し、ＨｅＮＢの識別子がマッピングされていなければ当該セルがＨｅＮＢでないと判断する。ＨｅＮＢであると判断した場合、ステップＳＴ１２０１へ戻る。ＨｅＮＢでないと判断した場合、ステップＳＴ１９０５へ遷移する。また、報知情報中のシステム情報中にＳＩＢ９が存在すれば当該セルはＨｅＮＢと判断し、報知情報中のシステム情報中にＳＩＢ９が存在しなければ当該セルがＨｅＮＢセルでないと判断しても良い。セル選択の場合の動作、ハンドオーバ先を移動端末側にて判断する場合の動作も図２３と同一または相当する処理となるので説明は省略する。
【０１１０】
本変形例により以下の効果を得ることが出来る。ＨｅＮＢをクローズドアクセスモードではなく、オープンアクセスモードとして運用する場合であっても、実施の形態２と同様の効果を得ることが出来る。なお、実施の形態２の変形例２と実施の形態２の変形例３とは組み合わせて用いることが出来る。
【０１１１】
次に上記実施例に係る第四の変形例について説明する。本変形例では、実施の形態２と同様の課題に対して別の解決策を開示する。移動端末の移動状態に応じて、再選択（セル選択を含んでも良い）可能なセルを限定する、あるいはハンドオーバ可能なセルを限定する。具体例についてＬＴＥシステムを用いて以下説明する。セルを限定する方法の具体例を以下に示す。セルの限定にセルの半径情報を用いる。セルの半径情報の具体例としては実施の形態１の変形例３に示した内容と同様であるので説明を省略する。半径情報の通知方法は実施の形態１の変形例１の切換え情報と同じ方法を用いることができる。よって詳細な説明は省略する。セルの限定動作の具体例を以下に示す。高速移動状態の移動端末は半径が大きいセルと判断されたセルにのみセル再選択、あるいはセル選択、あるいはハンドオーバ可能とする。中速移動状態の移動端末は半径が大きいセル、あるいは中間のセルと判断されたセルにのみセル再選択、あるいはセル選択、あるいはハンドオーバ可能とする。
【０１１２】
通常移動状態の移動端末はどのような半径情報のセル（つまり半径が大きいセル、あるいは中間のセル、あるいは小さいセルと判断されたセル）であってもセル再選択、あるいはセル選択、あるいはハンドオーバ可能とする。ここでは、半径を３つのグループ（小、中、大）に分ける例について説明したが、２つのグループ（例えば小、大）であっても良いし、４つ以上のグループであっても良い。ここでは、移動状態を３つのグループ（高速、中速、通常）に分ける例について説明したが、２つのグループ（例えば高速、通常）であっても良いし、４つ以上のグループであっても良い。また、移動状態と半径情報の組合せも上記具体例に限られない。移動端末の移動状態を検出する方法の具体例を以下に示す。現在３ＧＰＰで規格化が進められている移動端末のセルの再選択の回数を基にする方法、実施の形態１にて開示した方法、非特許文献７に示されるドップラ周波数測定を基にする方法、移動端末の位置情報を全地球測位システム（GPS: Global Positioning System）を基にする方法などが適用できる。
【０１１３】
図２４を用いて移動端末の移動状態に応じて、再選択可能なセルを限定する詳細動作の具体例について説明する。具体例としてＬＴＥシステムのセル再選択について説明する。図２４において図１２、図１９と同じ番号のステップは同一または相当する処理を実行するので、同じステップ番号の箇所の説明は省略する。ステップＳＴ２４０１にて移動端末は、セル再選択候補セルの半径情報を受信する。ステップＳＴ２４０２にて移動端末は、自移動端末の移動状態を判断する。移動状態が高速移動状態と判断すれば、ステップＳＴ２４０３へ遷移する。中速移動状態と判断すれば、ステップＳＴ２４０４へ遷移する。または通常移動状態と判断すれば、ステップＳＴ１９０５へ遷移する。移動状態の判断については、ステップＳＴ１９０３で説明した処理と同様の処理をも用いることが出来る。ステップＳＴ２４０３にて移動端末は、セルの再選択を行うか否かを判断する。当該判断の具体例は、ステップＳＴ２４０１にて受信した半径情報を用いる。具体例としては半径情報にて大きいセルと判断されたセルか否かを判断する。半径情報にて大きいセルと判断された場合は、ステップＳＴ１９０５へ移行する。半径情報にて大きいセルと判断されない場合は、ステップＳＴ１２０１へ戻る。
【０１１４】
ステップＳＴ２４０４にて移動端末は、セルの再選択を行うか否かを判断する。当該判断の具体例は、ステップＳＴ２４０１にて受信した半径情報を用いる。具体例としては半径情報にて大きいセル、あるいは中間のセルと判断されたセルか否かを判断する。半径情報にて大きいセル、あるいは中間のセルと判断された場合は、ステップＳＴ１９０５へ移行する。半径情報にて大きいセル、あるいは中間のセルと判断されない場合は、ステップＳＴ１２０１へ戻る。セル選択の場合の動作、ハンドオーバ先を移動端末側にて判断する場合の動作も図２４と同一または相当する処理となるので説明は省略する。
【０１１５】
本変形例により以下の効果を得ることが出来る。実施の形態２及び、実施の形態２の変形例２、実施の形態２の変形例３の課題を一度に解決できるという効果を得ることができる。
【０１１６】
次に上記実施例に係る第五の変形例について説明する。本変形例では、実施の形態２と同様の課題に対して、ハンドオーバ先をネットワーク側にて判断する場合についての解決策を開示する。本変形例での解決策を以下に示す。移動端末の移動状態の情報をネットワーク側（基地局）へ通知し、基地局が移動端末の移動状態に応じて、ハンドオーバ可能なセルを限定する。具体例についてＬＴＥシステムを用いて以下説明する。移動状態の情報の具体例について以下に示す。
（１）移動端末から基地局（サービングセル）へ移動端末の実際の移動速度、例えば時速などを通知しても良い。実際の移動速度を基に、ネットワーク側で移動端末の移動状態を判断する。具体例としては、通常移動状態と判断される閾値（具体例としては、移動速度＜閾値ａを満たせば通常移動状態と判断されるなど）、中速移動状態と判断される閾値（具体例としては、閾値ａ≦移動速度＜閾値ｂを満たせば中速移動状態と判断されるなど）、高速移動状態と判断される閾値（具体例としては、移動速度≧閾値ｂを満たせば高速移動状態と判断されるなど）などを用いて判断する。閾値をネットワーク側で変更することにより、移動端末の移動状態の判断を柔軟に行えるという効果を得ることが出来る。閾値は静的であっても良い。
（２）移動端末から基地局へ移動状態を通知しても良い。移動端末の移動状態を検出する方法の具体例については実施の形態２と同様であるので、説明を省略する。また、（１）の閾値ａ、ｂをサービングセルから移動端末へ通知し、移動端末側で移動状態を判断しても良い。この方法は、実施の形態２などでも用いることができる。実際の移動速度ではなく、移動状態を通知する。移動状態の具体例としては、「通常移動状態」「中速移動状態」「高速移動状態」などである。識別情報が３種類であれば、２ビットで通知可能となる。よって実際の移動速度ではなく、移動状態を通知することにより、情報量が大幅に削減可能となり無線リソースの有効活用という効果を得ることが出来る。
ここでは、移動状態を３つのグループ（通常移動状態、中速移動状態、高速移動状態）に分ける例について説明したが、２つのグループ（通常移動状態、高速移動状態）であっても良いし、４つ以上のグループであっても良い。
【０１１７】
移動端末から基地局（サービングセル）へ移動状態の情報を通知する方法の具体例を以下に示す。移動状態の情報を、ロジカルチャネルである共有制御チャネル（CCCH）、あるいは個別制御チャネル（DCCH）にマッピングし、さらにトランスポートチャネルである上り共有チャネル（UL-SCH）、物理チャネルである物理上り共有チャネル（PUSCH）にマッピングし移動端末よりサービング基地局に通知してもよい。上り共有チャネル（UL-SCH）は、移動端末のサービングセルへのスケジューリング要求により、サービングセルから移動端末に対して無線リソースが割当てられチャネルである。移動端末の要求次第で通知が可能となるので、通知タイミングの制約が緩やかである。よって、移動状態の情報を上り共有チャネルを用いて通知することにより、柔軟な制御が可能な移動体通信システムを構築できるという効果を得ることができる。
【０１１８】
移動端末から基地局（サービングセル）へ移動状態の情報を通知するタイミングの具体例を以下に示す。
（１）移動端末が基地局へ周期的に移動状態の情報を通知する。周期は静的であってもよいし、ネットワーク側から移動端末へ通知されても良い。当該周期のサービングセルから移動端末への通知方法は、実施の形態１の変形例１の切換え情報と同じ方法を用いることができる。よって詳細な説明は省略する。周期的に移動状態の情報を通知することで、あるタイミングにて受信エラーが発生した場合であっても、次の周期にて受信しなおすことが可能となるので、受信エラーに強い移動体通信システムの構築ができるという効果を得ることができる。
（２）移動端末が基地局へ移動状態が変化した際に、移動状態の情報を通知する。（１）の周期的に移動状態の情報を通知する場合と比較して、通知回数を削減可能となる。よって無線リソースの有効活用という効果を得ることができる。
（３）移動端末が基地局へメジャメントレポート（あるいはイベント通知）の際に、移動状態の情報を通知する。基地局側でメジャメントレポートを受けて、移動端末をハンドオーバさせるか否かを判断する場合がある。基地局が移動端末の移動状態に応じて、ハンドオーバ可能なセルを限定する本変形例においては、一緒に用いる情報である、メジャメントレポートと移動端末の移動状態の情報を一緒に受信することができる。これにより、移動体通信システムの複雑性回避、制御遅延の防止という効果を得ることができる。また、移動状態の情報をメジャメントレポート内の情報要素として追加しても同じ効果を得ることができる。さらにメジャメントレポートと移動状態の情報を１回のスケジューリングリクエストで通知可能となり、無線リソースの有効活用という効果を得ることができる。
【０１１９】
図２５に動作の一例を示す。具体例としてＬＴＥシステムについて説明する。ステップＳＴ２５０１にて移動端末は、メジャメントレポートをサービングセルへ通知する。ステップＳＴ２５０２にてサービングセルは移動端末よりメジャメントレポートを受信する。ステップＳＴ２５０３にて移動端末は、移動端末の移動状態の情報をサービングセルへ通知する。ステップＳＴ２５０４にてサービングセルは移動端末より移動端末の移動状態の情報を受信する。ステップＳＴ２５０５にてサービングセルはハンドオーバを行うか否かの判断を行う。実施の形態２、第一の変形例１、第三の変形例、第四の変形例などの具体的方法を用いて移動端末の移動状態に応じて、ハンドオーバ可能なセルを限定する判断を行う。ハンドオーバを行うと判断した場合は、ステップＳＴ２５０６へ移行する。ハンドオーバを行わないと判断した場合は、処理を終了する。ステップＳＴ２５０６にてサービングセルはネットワーク側全体にてハンドオーバ準備を行う。ステップＳＴ２５０７にてサービングセルは、ハンドオーバ指示を移動端末へ通知する。ステップＳＴ２５０８にて移動端末はサービングセルよりハンドオーバ指示を受信する。
【０１２０】
本実施の形態により以下の効果を得ることが出来る。ハンドオーバ先をネットワーク側にて判断する場合であっても、移動端末の移動状態に応じて、ハンドオーバ可能なセルを限定することができるようになる。よって実施の形態２と同様の効果を得ることが出来る。
【０１２１】
本実施の形態では、移動端末の移動状態に応じて、再選択（セル選択を含んでも良い）可能なセルを限定する、あるいはハンドオーバ可能なセルを限定することを示した。移動端末の移動状態検出方法として実施の形態１（変形例含む）で開示した方法を用いても良い。実施の形態１で述べたように、移動端末の移動状態検出方法として従来の方法を用いた場合、ＣＳＧセルあるいはＨｅＮＢあるいは半径の小さいセルが多く設置されるような状況においては、移動端末は実際には高速で移動していないにもかかわらず、高速移動状態、と判断されてしまうことがある。このような状況で本実施の形態で開示した方法を用いた場合、移動端末は実際に高速で移動していないにもかかわらず、ＣＳＧセルあるいはＨｅＮＢあるいは半径の小さいセルに再選択などができなくなってしまう、という問題が生じる。移動端末の移動状態検出方法として実施の形態１で開示した方法を用いることによって、これらの問題を解消できる効果が得られる。
【０１２２】
実施の形態３．
実施の形態３にて解決する課題について説明する。移動端末がセルの境界付近（セルエッジとも称される）に位置した場合、移動端末の微小な移動、あるいは微小な無線環境の変化により同じセル間の再選択を繰り返す。この同じセル間の再選択の繰り返し現象は、「ピンポン現象」と称されることがある。図２６を用いて説明する。（ａ）に示すとおり、基地局２６０１と基地局２６０２のセル境界付近に移動端末２６０３が位置する。（ｂ）には移動端末での基地局２６０１(太い破線)と基地局２６０２(太い実線)の受信信号干渉波比（ＳＩＲ）の概念図を示す。移動端末２６０３がＡ地点とＢ地点の間を微小に移動した場合を考える。Ａ地点においては基地局２６０１の方が基地局２６０２よりＳＩＲが高い、つまり受信品質が良好である。よってＡ地点においては移動端末２６０３のサービング基地局は基地局２６０１になると考えられる。またＢ地点においては基地局２６０２の方が基地局２６０１よりＳＩＲが高い、つまり受信品質が良好である。よってＢ点においては移動端末２６０３のサービング基地局は基地局２６０２になると考えられる。このように移動端末２６０３がＡ地点とＢ地点の間を微小に移動した場合、セルの再選択、あるいはハンドオーバが繰り返されることが考えられる。セル再選択が繰り返されれば、移動端末が新たなセルの報知情報を受信する回数がセル再選択の増加分多く必要となり、移動端末の消費電力増大という問題が生じる。ハンドオーバが繰り返されれば、基地局と移動端末間の制御信号が増大し無線リソースの有効活用という問題、および移動体通信システムとしての制御遅延の増大という問題、および移動端末の消費電力増大という問題が生じる。
【０１２３】
本実施の形態３での解決策を以下に示す。ピンポン現象、あるいは同じセル間のハンドオーバ繰り返し現象を検出した場合、セル再選択、ハンドオーバをし難い移動体通信システムとする。具体例についてＬＴＥシステムを用いて以下説明する。ピンポン現象の検出方法の具体例を以下に示す。
（１）移動端末が同じセル間の連続再選択回数を数える。連続再選択回数が閾値（閾値_ピンポン現象）を超えた（閾値以上であっても良い）場合、ピンポン現象を検出したとする。同じセルのハンドオーバの回数を数えても良い。
（２）移動端末が規定時間内の同じセル間のセル再選択回数を数える。規定時間（規定時間_ピンポン現象）内に同じセルのセル再選択回数が規定値（規定値_ピンポン現象）を超えた（規定値以上であっても良い）場合、ピンポン現象を検出したとする。同じセルのハンドオーバの回数を数えても良い。
上記（１）（２）で用いてピンポン現象検出用パラメータ（閾値_ピンポン現象、規定時間_ピンポン現象、規定値_ピンポン現象など）はネットワーク側から移動端末へ通知される。通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。また、モビリティ状態パラメータと一緒に通知してもよい。これにより、移動端末が移動に係るパラメータを一緒に受信することができる。これにより、移動体通信システムの複雑性回避、制御遅延の防止という効果を得ることができる。また、ピンポン現象検出用パラメータは静的であっても良い。これによりネットワーク側から移動端末への通知が不要となり、無線リソースの有効活用という効果を得ることが出来る。
【０１２４】
セル再選択、ハンドオーバし難い移動体通信システムとする具体例を以下に示す。（１）移動端末がセル再選択のための測定を開始するか否かを判断するパラメータ(例えば、S_intrasearch)を通常の場合とは別にピンポン現象用（例えば、S_intrasearch_ピンポン現象）に新たに設ける。また、移動端末がセル再選択のための測定を開始するか否かを判断するパラメータ(例えば、S_intrasearch)にピンポン現象を検出した場合に乗じるスケーリングファクタ（例えばScaling factor for S_intrasearch for ピンポン現象）を新たに設ける。具体的な運用例としては、ピンポン現象を検出した場合、移動端末がセル再選択のための測定を開始するか否かを判断するパラメータを通常の場合と比較して低く設定する。つまり、S_intrasearchよりS_intrasearch_ピンポン現象を低く設定する、あるいはScaling factor for S_intrasearch for ピンポン現象を１より小さい正の値としS_intrasearchが小さい値となるようにする。これにより、通常の状態よりピンポン現象を検出した場合の方が、サービングセルの受信レベル（受信品質、ＳＩＲであっても良い）が低くなるまでセル再選択用の測定を開始しないことになる。これにより、セル再選択し難い移動体通信システムを実現できる。
【０１２５】
（２）移動端末がセル再選択を行うか否かを判断するパラメータ(例えば、T_reselection)を通常の場合とは別にピンポン現象用（例えば、T_reselection_ピンポン現象）に新たに設ける。また、移動端末がセル再選を行うか否かを判断するパラメータ(例えば、T_reselection)にピンポン現象を検出した場合に乗じるスケーリングファクタ（例えばScaling factor for T_reselection for ピンポン現象）を新たに設ける。具体的な運用例としては、ピンポン現象を検出した場合、移動端末がセル再選択を行うか否かを判断するパラメータを通常の場合と比較して長く設定する。つまり、T_reselectionよりT_reselection_ピンポン現象を長く設定する、あるいはScaling factor for S_intrasearch for ピンポン現象を１より大きい正の値としT_reselectionが大きい値となるようにする。これにより、通常の状態よりピンポン現象を検出した場合の方が、長い期間、新しいセル（再選択先）がサービングセルより良く（あるいは上位に）順位付けされなければ、セル再選択が行われないこととなる。これにより、セル再選し難い移動体通信システムを実現できる。
【０１２６】
（３）移動端末がセルの順位付けを行う場合に用いるセルランキング用パラメータ(例えば、サービングセルの測定値調整パラメータがQ_Hyst)を通常の場合とは別にピンポン現象用（例えば、Q_Hyst _ピンポン現象）に新たに設ける。また、移動端末がセルの順位付けを行う場合に用いるセルランキング用パラメータ(例えば、Q_Hyst)にピンポン現象を検出した場合に乗じるスケーリングファクタ（例えばScaling factor for Q_Hyst for ピンポン現象）を新たに設ける。具体的な運用例としては、ピンポン現象を検出した場合、セルの順位付けを行う場合に用いるセルランキング用パラメータのサービングセルの測定値調整パラメータを通常の場合と比較して大きく設定する。つまり、Q_HystよりQ_Hyst_ピンポン現象を大きく設定する、あるいはScaling factor for Q_Hyst for ピンポン現象を１より大きい正の値としQ_Hystが大きい値となるようにする。これにより、通常の状態よりピンポン現象を検出した場合の方が、サービングセルの受信レベル（受信品質、ＳＩＲであっても良い）が低くなるまで、周辺セルがサービングセルより良く（あるいは上位に）順位されなくなる。これにより、セル再選し難い移動体通信システムを実現できる。
【０１２７】
上記で示したピンポン現象を検出した場合に、セル選択し難い移動体通信システムを実現するためのピンポン現象用パラメータ（例えば、S_intrasearch_ピンポン現象、Scaling factor for S_intrasearch for ピンポン現象、T_reselection_ピンポン現象、Scaling factor for T_reselection for ピンポン現象、Q_Hyst _ピンポン現象、Scaling factor for Q_Hyst for ピンポン現象）の通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。S_intrasearch_ピンポン現象を新たに追加する場合はS_intrasearchと同様に通知する。T_reselection_ピンポン現象を新たに追加する場合は、T_reselectionと同様に通知する。Q_Hyst _ピンポン現象を新たに追加する場合は、Q_Hystと同様に通知する。ピンポン現象用のScaling factorを新たに追加する場合は、移動状態用のスケーリングファクタと同様に通知する。これにより、同様に用いるパラメータを一緒に受信することができる。これにより、移動体通信システムの複雑性回避、制御遅延の防止という効果を得ることができる。
【０１２８】
図２７に動作の一例を示す。図２７において図１５と同じ番号のステップは同一または相当する処理を実行するので、同じステップ番号の箇所の説明は省略する。具体例としてＬＴＥシステムについて説明する。ピンポン現象の検出方法は、例えば（２）移動端末が規定時間内の同じセルのセル再選択回数を数える方法を用いて説明する。セル再選択し難い移動体通信システムを実現する方法は、例えば（３）移動端末がセルの順位付けを行う場合に用いるセルランキング用パラメータ(例えば、サービングセルの測定値調整パラメータがQ_Hyst)用の ピンポン現象を検出した場合に乗じるスケーリングファクタ（例えばScaling factor for Q_Hyst for ピンポン現象）を新たに設ける方法を用いて説明する。ステップＳＴ２７０１にてサービングセルはピンポン現象検出用パラメータを傘下の移動端末へ通知する。ステップＳＴ２７０２にて移動端末は、サービングセルよりピンポン現象検出用パラメータを受信する。移動端末は、規定時間_ピンポン現象のタイマを開始する。規定時間_ピンポン現象のタイマはタイムアウトすると再開される。ステップＳＴ２７０３にてサービングセルはピンポン現象用パラメータを傘下の移動端末へ通知する。ステップＳＴ２７０４にて移動端末は、サービングセルよりピンポン現象用パラメータを受信する。ステップＳＴ２７０５にて移動端末は、ピンポン現象を検出したか否かを判断する。判断の具体例としては、ピンポン現象検出用のカウント値が、ステップＳＴ２７０１にて受信したピンポン現象検出用パラメータ中の規定値_ピンポン現象より大きいか（規定値_ピンポン現象以上であっても良い。）判断する。規定値_ピンポン現象より大きい場合はピンポン現象を検出したと判断し、ステップＳＴ２７０６へ移行する。規定値_ピンポン現象以下の場合はピンポン現象を検出しないと判断し、ステップＳＴ１５１１へ移行する。ステップＳＴ２７０６にて移動端末は、ピンポン現象を検出する。
【０１２９】
ステップＳＴ２７０７にて移動端末は、セル再選択し難いように調整を行う。調整の具体例としては、ステップＳＴ２７０３にて受信したピンポン現象用パラメータ中のScaling factor for Q_Hyst for ピンポン現象をセルランキング用パラメータであるサービングセルの測定値調整パラメータ（Q_Hyst）に乗じる。乗じた結果をQ_Hyst’とする。Scaling factor for Q_Hyst for ピンポン現象には１より大きい正の値を想定する。ステップＳＴ２７０７にてセルランキングに用いられるサービングセルの測定値調整パラメータ（Q_Hyst）は、通常より大きな値に調整される。つまりQ_Hyst＜Q_Hyst’となる。この調整にてセル再選択し難くなることについて図２８を用いて説明する。図２８において図２６と同じ番号は、同じ内容であるので説明は省略する。図２８の（ｂ）に基地局2601の受信信号干渉波比（ＳＩＲ）を太い破線で示す。ＳＩＲ値にサービングセルの測定値調整パラメータ（Q_Hyst）を加えた状態が太い一点鎖線である。またＳＩＲ値にQ_Hyst’を加えた状態が太い二点鎖線である。本実施の形態を用いない場合、Ｂ地点において基地局２６０２の方が基地局２６０１よりＳＩＲが高い、つまり受信品質が良好である。よってＢ点においては移動端末２６０３のサービング基地局は基地局２６０２になると考えられる。一方、本実施の形態を用いた場合、Ｃ地点まで移動端末２６０１が移動しなければ基地局２６０２の方が基地局２６０１よりＳＩＲが高くならない。つまりＣ地点まで移動端末２６０１が移動しなければセル再選択が発生しない。
【０１３０】
ステップＳＴ２７０８にて移動端末は、セル再選択を行ったか否かを判断する。セル再選択を行っていない場合、ステップＳＴ１５０１へ戻る。セル再選択を行った場合、ステップＳＴ２７０９へ遷移する。ステップＳＴ２７０９にて移動端末は、同じセル間の再選択であるか否かを判断する。同じセル間の再選択の場合、ステップＳＴ２７１０へ移行する。同じセル間の再選択でない場合、ステップＳＴ１５０１へ戻る。ステップＳＴ２７１０にて移動端末は、同じセル間のセルの再選択回数を数えるためピンポン現象検出用のカウント値に１を加える。その後ステップＳＴ１５０１へ戻る。当該カウント値はピンポン現象検出に用いられる。よって例えば当該カウント値は、規定時間_ピンポン現象がタイムアウトした際にはリセット（「０」に戻される。）される。セル選択の場合の動作、ハンドオーバ先を移動端末側にて判断する場合の動作も図２７と同一または相当する処理となるので説明は省略する。
【０１３１】
本実施の形態により以下の効果を得ることが出来る。ピンポン現象を検出した場合、セル再選択、ハンドオーバをし難い移動体通信システムとすることが可能となる。これによりセルの境界付近に位置する移動端末が微小な移動、あるいは微小な無線環境の変化が起こった場合であってもセル再選選択、あるいはハンドオーバを行わないようにすることができる。図２８を用いて具体的に説明する。移動端末２６０３がＡ地点とＢ地点の間を微小な移動を繰り返した場合であっても、本実施の形態を用いた場合、例えばサービングセル２６０１のサービングセルの測定値調整パラメータが大きくなる方向に調整されるため（例えば調整後のサービングセルの測定値調整パラメータQ_Hyst’）Ｂ地点においても基地局２６０１がサービングセルとなり、つまりカバレッジ内とみなされ、つまり基地局２６０１が基地局２６０２よりセルランキングにおいて上位とみなされ、再選択が行われない。このように実施の形態３を用いることにより、セルの再選択の繰り返しを防ぐことが可能となり、移動端末の消費電力の削減という効果を得ることが出来る。またハンドオーバの繰り返しを防ぐことが可能となり、無線リソースの有効活用、移動体通信システムとしての制御遅延の削減、移動端末の消費電力の削減という効果を得ることが出来る。
【０１３２】
次に上記実施例に係る第一の変形例について説明する。本変形例にて解決する課題について説明する。ＨｅＮＢ（HNBであっても良い）が数多く設置される場合を考える。図２９を用いて説明する。基地局２９０１と基地局２９０２、基地局２９０３のセル境界付近に移動端末２９０４が位置する。移動端末２９０４が矢印で示すように微小に移動した場合を考える。この場合、基地局２９０２、基地局２９０３、基地局２９０１とセル再選択、あるいはハンドオーバが発生する。微小な無線環境の変化が起こった場合にも同様にセル再選択が発生すると考えられる。セル再選択が繰り返されれば、移動端末が新たなセルの報知情報を受信する回数がセル再選択の増加分多く必要となり、移動端末の消費電力増大という問題が生じる。ハンドオーバが繰り返されれば、基地局と移動端末間の制御信号が増大し無線リソースの有効活用という問題、および移動体通信システムとしての制御遅延の増大という問題、および移動端末の消費電力増大という問題が生じる。同じセル間の再選択、あるいはハンドオーバではないためピンポン現象が検出されず、実施の形態３の方法では、上記課題は解決されない。
【０１３３】
第一の変形例での解決策を以下に示す。ＣＳＧ間のリセレクション繰り返し現象、あるいはＨｅＮＢ間のハンドオーバ繰り返し現象を検出した場合、セル再選択、ハンドオーバをし難い移動体通信システムとする。具体例についてＬＴＥシステムを用いて以下説明する。ＣＳＧ間のリセレクション繰り返し現象の検出方法の具体例を以下に示す。移動端末は、ＣＳＧセル間での移動（ＨｅＮＢ間での移動でもよい）をカウントする。
（１）移動端末がＣＳＧセル間の連続再選択回数を数える。連続再選択回数が閾値（閾値_CSG間のリセレクション繰り返し現象）を超えた（閾値以上であっても良い）場合、CSG間のリセレクション繰り返し現象を検出したとする。ＨｅＮＢの連続再選択回数を数えても良い。半径の小さいセルの連続再選択回数を数えても良い。再選択回数ではなく、ハンドオーバの回数を数えても良い。
（２）移動端末が規定時間内の規定種類のＣＳＧセル間のセル再選択回数を数える。規定時間（規定時間_CSG間のリセレクション繰り返し現象）内に規定種類（規定種類_CSG間のリセレクション繰り返し現象）のセルのセル再選択回数が規定値（規定値_CSG間のリセレクション繰り返し現象）を超えた（規定値以上であっても良い）場合、CSG間のリセレクション繰り返し現象を検出したとする。ＨｅＮＢの再選択回数を数えても良い。半径の小さいセルの再選択回数を数えても良い。再選択回数ではなく、ハンドオーバの回数を数えても良い。
上記（１）（２）で用いてCSG間のリセレクション繰り返し現象検出用パラメータ（閾値_ CSG間のリセレクション繰り返し現象、規定時間_ CSG間のリセレクション繰り返し現象、規定種類_CSG間のリセレクション繰り返し現象、規定値_CSG間のリセレクション繰り返し現象など）はネットワーク側から移動端末へ通知される。通知方法は、実施の形態１の変形例１の切換え情報と同じようにＭＩＢ、ＳＩＢ、ＳＩＢ１、ＳＩＢ２、ＳＩＢ３、ＳＩＢ９にマッピングしてもよい。詳細な説明は省略する。また、モビリティ状態パラメータと一緒に通知してもよい。これにより、移動端末が移動に係るパラメータを一緒に受信することができる。これにより、移動体通信システムの複雑性回避、制御遅延の防止という効果を得ることができる。また、ＣＳＧ間のリセレクション繰り返し現象検出用パラメータは静的であっても良い。これによりネットワーク側から移動端末への通知が不要となり、無線リソースの有効活用という効果を得ることが出来る。
【０１３４】
セル再選択、ハンドオーバし難い移動体通信システムとする具体例を以下に示す。
（１）移動端末がセル再選択のための測定を開始するか否かを判断するパラメータ(例えば、S_intrasearch)を通常の場合とは別にCSG間のリセレクション繰り返し現象用（例えば、S_intrasearch_ CSG間のリセレクション繰り返し現象）に新たに設ける。また、移動端末がセル再選択のための測定を開始するか否かを判断するパラメータ(例えば、S_intrasearch)にCSG間のリセレクション繰り返し現象を検出した場合に乗じるスケーリングファクタ（例えばScaling factor for S_intrasearch for CSG間のリセレクション繰り返し現象）を新たに設ける。具体的な運用例としては、CSG間のリセレクション繰り返し現象を検出した場合、移動端末がセル再選択のための測定を開始するか否かを判断するパラメータを通常の場合と比較して低く設定する。つまり、S_intrasearchよりS_intrasearch_ CSG間のリセレクション繰り返し現象を低く設定する、あるいはScaling factor for S_intrasearch for CSG間のリセレクション繰り返し現象を１より小さい正の値としS_intrasearchが小さい値となるようにする。これにより、通常の状態よりＣＳＧ間のリセレクション繰り返し現象を検出した場合の方が、サービングセルの受信レベル（受信品質、ＳＩＲであっても良い）が低くなるまでセル再選択用の測定を開始しないことになる。これにより、セル再選し難い移動体通信システムを実現できる。
【０１３５】
（２）移動端末がセル再選択を行うか否かを判断するパラメータ(例えば、T_reselection)を通常の場合とは別にCSG間のリセレクション繰り返し現象用（例えば、T_reselection_ CSG間のリセレクション繰り返し現象）に新たに設ける。また、移動端末がセル再選を行うか否かを判断するパラメータ(例えば、T_reselection)にCSG間のリセレクション繰り返し現象を検出した場合に乗じるスケーリングファクタ（例えばScaling factor for T_reselection for CSG間のリセレクション繰り返し現象）を新たに設ける。具体的な運用例としては、CSG間のリセレクション繰り返し現象を検出した場合、移動端末がセル再選択を行うか否かを判断するパラメータを通常の場合と比較して長く設定する。つまり、T_reselectionよりT_reselection_ CSG間のリセレクション繰り返し現象を長く設定する、あるいはScaling factor for S_intrasearch for CSG間のリセレクション繰り返し現象を１より大きい正の値としT_reselectionが大きい値となるようにする。これにより、通常の状態よりCSG間のリセレクション繰り返し現象を検出した場合の方が、長い期間、新しいセル（再選択先）がサービングセルより良く（あるいは上位に）順位付けされなければ、セル再選択が行われないこととなる。これにより、セル再選し難い移動体通信システムを実現できる。
【０１３６】
（３）移動端末がセルの順位付けを行う場合に用いるセルランキング用パラメータ(例えば、サービングセルの測定値調整パラメータがQ_Hyst)を通常の場合とは別にCSG間のリセレクション繰り返し現象用（例えば、Q_Hyst _ CSG間のリセレクション繰り返し現象）に新たに設ける。また、移動端末がセルの順位付けを行う場合に用いるセルランキング用パラメータ(例えば、Q_Hyst)にCSG間のリセレクション繰り返し現象を検出した場合に乗じるスケーリングファクタ（例えばScaling factor for Q_Hyst for CSG間のリセレクション繰り返し現象）を新たに設ける。具体的な運用例としては、CSG間のリセレクション繰り返し現象を検出した場合、セルの順位付けを行う場合に用いるセルランキング用パラメータのサービングセルの測定値調整パラメータを通常の場合と比較して大きく設定する。つまり、Q_HystよりQ_Hyst_ CSG間のリセレクション繰り返し現象を大きく設定する、あるいはScaling factor for Q_Hyst for CSG間のリセレクション繰り返し現象を１より大きい正の値としQ_Hystが大きい値となるようにする。これにより、通常の状態よりＣＳＧ間のリセレクション繰り返し現象を検出した場合の方が、サービングセルの受信レベル（受信品質、ＳＩＲであっても良い）が低くなるまで、周辺セルがサービングセルより良く（あるいは上位に）順位されなくなる。これにより、セル再選し難い移動体通信システムを実現できる。
【０１３７】
上記で示したCSG間のリセレクション繰り返し現象を検出した場合に、セル選択し難い移動体通信システムを実現するためのCSG間のリセレクション繰り返し現象用パラメータ（例えば、S_intrasearch_ CSG間のリセレクション繰り返し現象、Scaling factor for S_intrasearch for CSG間のリセレクション繰り返し現象、T_reselection_ CSG間のリセレクション繰り返し現象、Scaling factor for T_reselection for CSG間のリセレクション繰り返し現象、Q_Hyst _ CSG間のリセレクション繰り返し現象、Scaling factor for Q_Hyst for CSG間のリセレクション繰り返し現象）の通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。S_intrasearch_ CSG間のリセレクション繰り返し現象を新たに追加する場合はS_intrasearchと同様に通知する。T_reselection_ CSG間のリセレクション繰り返し現象を新たに追加する場合は、T_reselectionと同様に通知する。Q_Hyst _ CSG間のリセレクション繰り返し現象を新たに追加する場合は、Q_Hystと同様に通知する。ＣＳＧ間のリセレクション繰り返し現象用のScaling factorを新たに追加する場合は、移動状態用のスケーリングファクタと同様に通知する。これにより、同様に用いるパラメータを一緒に受信することができる。これにより、移動体通信システムの複雑性回避、制御遅延の防止という効果を得ることができる。また、ＣＳＧ間のリセレクション繰り返し現象を検出した場合に、セル選択し難い移動体通信システムを実現するためのＣＳＧ間のリセレクション繰り返し現象用パラメータを新たに設けず、ピンポン現象を検出した場合に、セル選択し難い移動体通信システムを実現するためのピンポン現象用パラメータを共有して用いても良い。これにより、サービングセルから移動端末へ通知する情報量の削減が可能となり、無線リソースの有効活用という効果を得ることができる。あわせて、移動体通信システムの複雑性回避、制御遅延防止という効果を得ることが出来る。
【０１３８】
図３０に動作の一例を示す。図３０において図１５と同じ番号のステップは同一または相当する処理を実行するので、同じステップ番号の箇所の説明は省略する。具体例としてＬＴＥシステムについて説明する。ＣＳＧ間のリセレクション繰り返し現象の検出方法は、例えば（２）規定時間内の規定種類のＣＳＧセルのセル再選択回数を数える方法を用いて説明する。セル再選択し難い移動体通信システムを実現する方法は、例えば（３）移動端末がセルの順位付けを行う場合に用いるセルランキング用パラメータ(例えば、サービングセルの測定値調整パラメータがQ_Hyst)用の CSG間のリセレクション繰り返し現象を検出した場合に乗じるスケーリングファクタ（例えばScaling factor for Q_Hyst for CSG間のリセレクション繰り返し現象）を新たに設ける方法を用いて説明する。
【０１３９】
ステップＳＴ３００１にてサービングセルはＣＳＧ間のリセレクション繰り返し現象検出用パラメータを傘下の移動端末へ通知する。ステップＳＴ３００２にて移動端末は、サービングセルよりＣＳＧ間のリセレクション繰り返し現象検出用パラメータを受信する。移動端末は、規定時間_CSG間のリセレクション繰り返し現象のタイマを開始する。規定時間_CSG間のリセレクション繰り返し現象のタイマはタイムアウトすると再開される。ステップＳＴ３００３にてサービングセルはＣＳＧ間のリセレクション繰り返し現象用パラメータを傘下の移動端末へ通知する。ステップＳＴ３００４にて移動端末は、サービングセルよりＣＳＧ間のリセレクション繰り返し現象用パラメータを受信する。ステップＳＴ３００５にて移動端末は、ＣＳＧ間のリセレクション繰り返し現象を検出したか否かを判断する。判断の具体例としては、ＣＳＧ間のリセレクション繰り返し現象検出用のカウント値が、ステップＳＴ３００１にて受信したＣＳＧ間のリセレクション繰り返し現象検出用パラメータ中の規定値_CSG間のリセレクション繰り返し現象より大きいか（規定値_CSG間のリセレクション繰り返し現象以上であっても良い。）判断する。
【０１４０】
当該カウント値は、ステップＳＴ３００１にて受信したＣＳＧ間のリセレクション繰り返し現象検出用パラメータ中の規定種類（規定種類_CSG間のリセレクション繰り返し現象）のCSGセルに対するリセレクション回数をカウントする。具体例を図２９を用いて説明する。例えば規定種類が３種類であった場合は、基地局２９０２、基地局２９０３、基地局２９０１と再選択を繰り返した場合、前記３種類のＣＳＧセルに対するリセレクションはカウントするが、規定時間_CSG間のリセレクション繰り返し現象間のその他の基地局へのリセレクションはカウントしない。当該カウント値が規定値_CSG間のリセレクション繰り返し現象より大きい場合はＣＳＧ間のリセレクション繰り返し現象を検出したと判断し、ステップＳＴ３００６へ移行する。当該カウント値が規定値_CSG間のリセレクション繰り返し現象以下の場合はＣＳＧ間のリセレクション繰り返し現象を検出しないと判断し、ステップＳＴ１５１１へ移行する。ステップＳＴ３００６にて移動端末は、ＣＳＧ間のリセレクション繰り返し現象を検出する。
【０１４１】
ステップＳＴ３００７にて移動端末は、セル再選択し難いように調整を行う。調整の具体例としては、ステップＳＴ３００３にて受信したＣＳＧ間のリセレクション繰り返し現象用パラメータ中のScaling factor for Q_Hyst for CSG間のリセレクション繰り返し現象をセルランキング用パラメータであるサービングセルの測定値調整パラメータ（Q_Hyst）に乗じる。乗じた結果をQ_Hyst’とする。Scaling factor for Q_Hyst for CSG間のリセレクション繰り返し現象には１より大きい正の値を想定する。ステップＳＴ３００７にてセルランキングに用いられるサービングセルの測定値調整パラメータ（Q_Hyst）は、通常より大きな値に調整される。ステップＳＴ３００８にて移動端末は、セル再選択を行ったか否かを判断する。セル再選択を行っていない場合、ステップＳＴ１５０１へ戻る。セル再選択を行った場合、ステップＳＴ３００９へ遷移する。ステップＳＴ３００９にて移動端末は、規定種類（規定種類_CSG間のリセレクション繰り返し現象）のCSGセルに対するリセレクションであるか否かを判断する。当該セルへの再選択の場合、ステップＳＴ３０１０へ移行する。規定種類のＣＳＧセルに対する再選択でない場合、ステップＳＴ１５０１へ戻る。ステップＳＴ３０１０にて移動端末は、規定種類のＣＳＧセルに対する再選択回数を数えるためＣＳＧ間のリセレクション繰り返し現象検出用のカウント値に１を加える。その後ステップＳＴ１５０１へ戻る。当該カウント値はＣＳＧ間のリセレクション繰り返し現象検出に用いられる。よって例えば当該カウント値は、規定時間_CSG間のリセレクション繰り返し現象がタイムアウトした際にはリセット（「０」に戻される。）される。セル選択の場合の動作、ハンドオーバ先を移動端末側にて判断する場合の動作も図30と同一または相当する処理となるので説明は省略する。
【０１４２】
本変形例により以下の効果を得ることが出来る。ＣＳＧ間のリセレクション繰り返し現象を検出した場合、セル再選択、ハンドオーバをし難い移動体通信システムとすることが可能となる。これによりセルの境界付近に位置する移動端末が微小な移動、あるいは微小な無線環境の変化が起こった場合であってもセル再選選択、あるいはハンドオーバを行わないようにすることができる。このように第一の変形例を用いることにより、ＨｅＮＢ（ＨＮＢであっても良い）が数多く設置されるロケーションでのセルの再選択の繰り返しを防ぐことが可能となり、移動端末の消費電力の削減という効果を得ることが出来る。またハンドオーバの繰り返しを防ぐことが可能となり、無線リソースの有効活用、移動体通信システムとしての制御遅延の削減、移動端末の消費電力の削減という効果を得ることが出来る。
【０１４３】
本実施の形態３で開示したピンポン現象用パラメータ（例えば、S_intrasearch_ピンポン現象、Scaling factor for S_intrasearch for ピンポン現象、T_reselection_ピンポン現象、Scaling factor for T_reselection for ピンポン現象、Q_Hyst _ピンポン現象、Scaling factor for Q_Hyst for ピンポン現象）、あるいは、本実施の形態３変形例１で開示したCSG間のリセレクション繰り返し現象用パラメータ（例えば、S_intrasearch_ CSG間のリセレクション繰り返し現象、Scaling factor for S_intrasearch for CSG間のリセレクション繰り返し現象、T_reselection_ CSG間のリセレクション繰り返し現象、Scaling factor for T_reselection for CSG間のリセレクション繰り返し現象、Q_Hyst _ CSG間のリセレクション繰り返し現象、Scaling factor for Q_Hyst for CSG間のリセレクション繰り返し現象）の取りうる値はある範囲内に限定するのが良い。これらのパラメータはサービングセルからのセル再選択をし難くする。従って、もしこれらのパラメータの取りうる範囲が限定されていないとすると、サービングセルからの受信状況がどれだけ悪化しようともセル再選択を行なわなくなってしまうため、移動端末は他のセルを再選択できず、さらにはサービングセルからの受信も不可能になってしまう状態に陥る。この問題を解消するため、上記パラメータの取りうる範囲を限定する。サービングセルからの受信が可能となる範囲内で限定するのが良い。
【０１４４】
例えば、S_intrasearch_ピンポン現象については、サービングセルからの受信が可能となる最小値を設け（例えば、S_intrasearch_minとする）、S_intrasearch_ピンポン現象の設定値を、S_intrasearch_ピンポン現象≧S_intrasearch_minとする。また、例えば、Scaling factor for S_intrasearch for ピンポン現象については、サービングセルからの受信が可能となる最小値を設け（例えば、Scaling factor for S_intrasearch for minとする）、Scaling factor for S_intrasearch for ピンポン現象の設定値を、Scaling factor for S_intrasearch for ピンポン現象≧Scaling factor for S_intrasearch for minとする。他のパラメータについても同様である。これら限定するために必要な値は、あらかじめ決められていても良いし、ネットワークから移動端末に通知されても良い。ネットワークから移動端末への通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。こうすることによって、ピンポン現象が生じた場合に、セルの再選択をし難くすることによる本実施の形態３から変形例１で記載した効果に加え、移動端末がサービングセルから受信できなくなってしまう前にセルの再選択を行なうことができるようになる、という効果を得ることができる。
【０１４５】
また、上記パラメータを使用する期間は、新たなパラメータがネットワークより通知されるまでとしても良いし、上記パラメータを使用する期間を示すためのタイマを設けても良い。該タイマの値はあらかじめ決められていても良いし、ネットワークから移動端末に通知されても良い。ネットワークから移動端末への通知方法は、実施の形態１の変形例１の切換え情報と同じようにＭＩＢ、ＳＩＢ、ＳＩＢ１、ＳＩＢ２、ＳＩＢ３にマッピングしてもよい。詳細な説明は省略する。こうすることによって、移動端末の状態が時間的に変わった場合にも柔軟にその時点の状況に応じてセル再選択を行なうことが可能となる。
【０１４６】
次に上記実施例に係る第ニの変形例を説明する。本変形例では、実施の形態３、実施の形態３の変形例１と同様の課題に対して、別の解決策を開示する。本変形例での解決策を以下に示す。移動端末のピンポン現象の情報、ＣＳＧ間のリセレクション繰り返し現象の情報の両方あるいは一方をネットワーク側（基地局）へ通知し、基地局がメジャメント対象セルを限定する。具体例についてＬＴＥシステムを用いて以下説明する。ピンポン現象の情報、ＣＳＧ間のリセレクション繰り返し現象の情報の具体例について以下に示す。移動端末から基地局へピンポン現象検出の有無、ＣＳＧ間のリセレクション繰り返し現象検出の有無を通知しても良い。ピンポン現象検出する方法、ＣＳＧ間のリセレクション繰り返し現象を検出する方法の具体例については実施の形態３、第一の変形例と同様であるので、説明を省略する。移動端末から基地局（サービングセル）へ移動状態の情報を通知する方法は、実施の形態２の変形例５の移動状態の情報と同じ方法を用いることが出来る。よって詳細な説明は省略する。移動端末から基地局（サービングセル）へピンポン現象の情報、ＣＳＧ間のリセレクション繰り返し現象の情報を通知するタイミングの具体例については、実施の形態２の第五の変形例の移動状態の情報と同じ方法を用いることが出来る。よって詳細な説明は省略する。
【０１４７】
図３１に動作の一例を示す。具体例としてＬＴＥシステムについて説明する。ステップＳＴ３１０１にて移動端末は、メジャメントレポートをサービングセルへ通知する。ステップＳＴ３１０２にてサービングセルは移動端末よりメジャメントレポートを受信する。ステップＳＴ３１０３にて移動端末は、移動端末のピンポン現象の情報、ＣＳＧ間のリセレクション繰り返し現象の情報の両方あるいは一方をサービングセルへ通知する。ステップＳＴ３１０４にてサービングセルは移動端末より移動端末のピンポン現象の情報、ＣＳＧ間のリセレクション繰り返し現象の情報の両方あるいは一方の情報を受信する。その際、ピンポン現象を引き起こしているセル、あるいはＣＳＧ間のリセレクション繰り返し現象を引き起こしているセルを通知しても良い。セルの情報としては、ＰＣＩ、ＧＣＩなどが考えられる。これにより、ネットワーク側でピンポン現象を引き起こしているセル、あるいはＣＳＧ間のリセレクション繰り返し現象を引き起こしているセルを特定することが出来るという効果を得ることができる。ステップＳＴ３１０５にてサービングセルは当該移動端末へのメジャメント設定の変更を行う。設定変更の具体例としては、ステップＳＴ３１０４にて受信したピンポン現象を引き起こしているセル、あるいはＣＳＧ間のリセレクション繰り返し現象を引き起こしているセルの情報を基に、それらのセルを当該移動端末へのメジャメント設定から削除する。ステップＳＴ３１０６にてサービングセルは、メジャメント設定を移動端末へ通知する。ステップＳＴ３１０７にて移動端末はサービングセルよりメジャメント設定を受信する。これにより移動端末は、ピンポン現象を引き起こしているセル、あるいはＣＳＧ間のリセレクション繰り返し現象を引き起こしているセルのメジャメントを行わない。
【０１４８】
本実施の形態により以下の効果を得ることが出来る。ピンポン現象を引き起こしているセル、あるいはＣＳＧ間のリセレクション繰り返し現象を引き起こしているセルを移動端末のメジャメント対象から削除することが出来る。これにより、ピンポン現象を引き起こしているセル、あるいはＣＳＧ間のリセレクション繰り返し現象を引き起こしているセルをハンドオーバ先から削除することが出来る。これによりセルの境界付近に位置する移動端末が微小な移動、あるいは微小な無線環境の変化が起こった場合であってもハンドオーバを行わないようにすることができる。実施の形態３の第二の変形例を用いることにより、ハンドオーバの繰り返しを防ぐことが可能となり、無線リソースの有効活用、移動体通信システムとしての制御遅延の削減、移動端末の消費電力の削減という効果を得ることが出来る。第二の変形例は、実施の形態３、実施の形態３の第一の変形例と組み合わせて用いることが出来る。
【０１４９】
本発明についてはシステムの周波数キャリアについては特に言及していないが、同じ周波数キャリア内（intra-frequency）のセル再選択、セル選択、ハンドオーバであっても良いし、他の周波数キャリアへ（inter-frequency）のセル再選択、セル選択、ハンドオーバであっても良い。例えばＣＳＧセルがｎｏｎ−ＣＳＧセルと異なる専用周波数キャリアで運用されるような場合にも適用できる。
【０１５０】
本発明についてはＬＴＥシステム（Ｅ−ＵＴＲＡＮ）を中心に記載したが、Ｗ−ＣＤＭＡシステム（ＵＴＲＡＮ、ＵＭＴＳ）及びＬＴＥアドバンスド（LTE-Advanced）について適用可能である。更には、ＣＳＧ（Closed Subscriber Group）が導入される移動体通信システムおよび、ＣＳＧと同じようにオペレータが加入者を特定し、特定された加入者がアクセスを許可されるような通信システム、ＨｅＮＢと同じように通常のセルと比較してセル半径の小さいセルが導入されるような通信システムにおいて適用可能である。ＬＴＥアドバンスド等では、基地局（ｅＮＢ、ＨＮＢ、ＨｅＮＢなど）だけでなく、多地点で送受信やマルチホップさせるため多種の装置あるいはノードが検討されている。本発明は、これら各種の装置あるいはノードが設置されることにより、ノードの境界が増加し、ノードの変更（ノード再選択、ノードハンドオーバ）、ノード間のピンポン現象が多く発生した場合にも適用することが可能である。
【図１】
2012109640.tif 000003
【図２】
2012109640.tif 000004
【図３】
2012109640.tif 000005
【図４】
2012109640.tif 000006
【図５】
2012109640.tif 000007
【図６】
2012109640.tif 000008
【図７】
2012109640.tif 000009
【図８】
2012109640.tif 000010
【図９】
2012109640.tif 000011
【図１０】
2012109640.tif 000012
【図１１】
2012109640.tif 000013
【図１２】
2012109640.tif 000014
【図１３】
2012109640.tif 000015
【図１４】
2012109640.tif 000016
【図１５】
2012109640.tif 000017
【図１６】
2012109640.tif 000018
【図１７】
2012109640.tif 000019
【図１８】
2012109640.tif 000020
【図１９】
2012109640.tif 000021
【図２０】
2012109640.tif 000022
【図２１】
2012109640.tif 000023
【図２２】
2012109640.tif 000024
【図２３】
2012109640.tif 000025
【図２４】
2012109640.tif 000026
【図２５】
2012109640.tif 000027
【図２６】
2012109640.tif 000028
【図２７】
2012109640.tif 000029
【図２８】
2012109640.tif 000030
【図２９】
2012109640.tif 000031
【図３０】
2012109640.tif 000032
【図３１】
2012109640.tif 000033